(57)【要約】【課題】移動パターン等のように抽出した特徴をルール化して利用することなく、利用者に適切な行動指標を提供することができる、情報提供システム、端末装置、サーバ装置、情報提供装置、情報提供方法、および、プログラムを提供することを課題とする。【解決手段】本発明は、施設情報毎に登録された、時間に関連する行動指標を示す登録情報を記憶し、地点情報を取得して当該地点情報に対応する施設情報の登録情報を取得し、取得した登録情報に基づいて、時間に関連付けて行動指標を出力部に出力することを特徴とする。【選択図】図１
2012118938.tif 000002
【特許請求の範囲】
【請求項１】
制御部と記憶部とを少なくとも備えたサーバ装置、および、制御部と出力部とを少なくとも備えた端末装置、を通信可能に接続した情報提供システムであって、
上記サーバ装置の上記記憶部は、
施設情報毎に登録された、時間に関連する行動指標を示す登録情報を記憶する施設登録情報記憶手段、
を備え、
上記サーバ装置の上記制御部は、
上記端末装置から送信される、地点情報を受信する地点情報受信手段と、
上記地点情報受信手段により受信された上記地点情報に対応する上記施設情報の上記登録情報を上記施設登録情報記憶手段から取得する登録情報取得手段と、
上記登録情報取得手段により取得された上記登録情報を上記端末装置に送信する登録情報送信手段と、
上記端末装置の上記制御部は、
上記地点情報を上記サーバ装置に送信する地点情報送信手段と、
上記サーバ装置から送信される、上記登録情報を受信する登録情報受信手段と、
上記登録情報受信手段により受信された上記登録情報に基づいて、上記時間に関連付けて上記行動指標を上記出力部に出力する登録情報出力手段と、
を備えたことを特徴とする、情報提供システム。
【請求項２】
請求項１に記載の情報提供システムにおいて、
上記登録情報は、
上記施設情報の施設に対して所定期間における所定回数の訪問を促す情報であって、
上記端末装置の上記制御部は、
現在位置情報に基づいて、上記施設情報の施設に対する上記所定期間における訪問回数を上記所定回数に達するまでカウント処理して上記登録情報を更新する登録情報処理手段、
を更に備え、
上記登録情報出力手段は、
上記登録情報処理手段により更新された上記登録情報に基づいて、上記所定期間までに上記所定回数までの上記訪問を促す情報を、上記出力部に出力することを特徴とする、情報提供システム。
【請求項３】
請求項１に記載の情報提供システムにおいて、
上記登録情報は、
上記施設情報の施設に対する所定期間経過後の訪問を促す情報であって、
上記端末装置の上記制御部は、
現在位置情報に基づいて、上記施設情報の施設への訪問を判定して上記登録情報を更新する登録情報処理手段、
を更に備え、
上記登録情報出力手段は、
上記登録情報処理手段により更新された上記登録情報に基づいて、上記所定期間経過後に上記施設への訪問を促す情報を、上記出力部に出力することを特徴とする、情報提供システム。
【請求項４】
請求項１に記載の情報提供システムにおいて、
上記登録情報は、
上記施設情報の施設に対する所定期間内の行動を促すクーポン情報であって、
上記登録情報出力手段は、
上記登録情報受信手段により受信された上記登録情報に基づいて、上記クーポン情報を上記出力部に出力することを特徴とする、情報提供システム。
【請求項５】
請求項１から４のいずれか一つに記載の情報提供システムにおいて、
上記施設登録情報記憶手段は、
更に利用者識別情報に対応付けて、上記施設情報毎の上記登録情報を記憶し、
上記地点情報受信手段は、
上記地点情報とともに上記利用者識別情報を受信し、
上記登録情報取得手段は、
上記地点情報受信手段により受信された上記地点情報および上記利用者識別情報に対応する上記登録情報を上記施設登録情報記憶手段から取得することを特徴とする、情報提供システム。
【請求項６】
施設情報毎に登録された、時間に関連する行動指標を示す登録情報を記憶する施設登録情報記憶手段と、
地点情報に対応する上記施設情報の上記登録情報を上記施設登録情報記憶手段から取得する登録情報取得手段と、
上記登録情報取得手段により取得された上記登録情報に基づいて、上記時間に関連付けて上記行動指標を上記出力部に出力する登録情報出力手段と、
を備えたことを特徴とする、情報提供システム。
【請求項７】
記憶部を少なくとも備えたサーバ装置に通信可能に接続された、制御部と出力部とを少なくとも備えた端末装置であって、
上記記憶部は、
施設情報毎に登録された、時間に関連する行動指標を示す登録情報を記憶する施設登録情報記憶手段、
を備え、
上記制御部は、
上記地点情報を上記サーバ装置に送信する地点情報送信手段と、
上記サーバ装置から送信される、上記施設登録情報記憶手段から取得された上記地点情報に対応する上記施設情報の上記登録情報を、受信する登録情報受信手段と、
上記登録情報受信手段により受信された上記登録情報に基づいて、上記時間に関連付けて上記行動指標を上記出力部に出力する登録情報出力手段と、
を備えたことを特徴とする、端末装置。
【請求項８】
出力部を少なくとも備えた端末装置に通信可能に接続された、制御部と記憶部とを少なくとも備えたサーバ装置であって、
上記記憶部は、
施設情報毎に登録された、時間に関連する行動指標を示す登録情報を記憶する施設登録情報記憶手段、
を備え、
上記制御部は、
上記端末装置から送信される、地点情報を受信する地点情報受信手段と、
上記地点情報受信手段により受信された上記地点情報に対応する上記施設情報の上記登録情報を上記施設登録情報記憶手段から取得する登録情報取得手段と、
上記登録情報取得手段により取得された上記登録情報を上記端末装置に送信する登録情報送信手段と、
を備えたことを特徴とする、サーバ装置。
【請求項９】
出力部を少なくとも備えた端末装置に通信可能に接続された、制御部と記憶部とを少なくとも備えたサーバ装置であって、
上記記憶部は、
施設情報毎に登録された、時間に関連する行動指標を示す登録情報を記憶する施設登録情報記憶手段、
を備え、
上記制御部は、
地点情報に対応する上記施設情報の上記登録情報を上記施設登録情報記憶手段から取得する登録情報取得手段と、
上記登録情報取得手段により取得された上記登録情報に基づく表示画面を生成する表示画面生成手段と、
上記表示画面を含む出力制御情報を上記端末装置に送信することにより、当該端末装置の上記出力部を介して当該出力制御情報を出力させる出力制御手段と、
を備えたことを特徴とする、サーバ装置。
【請求項１０】
制御部と記憶部と出力部とを少なくとも備えた情報提供装置であって、
上記記憶部は、
施設情報毎に登録された、時間に関連する行動指標を示す登録情報を記憶する施設登録情報記憶手段、
を備え、
上記制御部は、
地点情報に対応する上記施設情報の上記登録情報を上記施設登録情報記憶手段から取得する登録情報取得手段と、
上記登録情報取得手段により取得された上記登録情報に基づいて、上記時間に関連付けて上記行動指標を上記出力部に出力する登録情報出力手段と、
を備えたことを特徴とする、情報提供装置。
【請求項１１】
制御部と記憶部とを少なくとも備えたサーバ装置、および、制御部と出力部とを少なくとも備えた端末装置、を通信可能に接続した情報提供システムにおいて実行される情報提供方法であって、
上記サーバ装置の上記記憶部は、
施設情報毎に登録された、時間に関連する行動指標を示す登録情報を記憶する施設登録情報記憶手段、
を備え、
上記端末装置の上記制御部において実行される、
地点情報を上記サーバ装置に送信する地点情報送信ステップと、
上記サーバ装置の上記制御部において実行される、
上記端末装置から送信される、上記地点情報を受信する地点情報受信ステップと、
上記サーバ装置の上記制御部において実行される、
上記地点情報受信ステップにて受信された上記地点情報に対応する上記施設情報の上記登録情報を上記施設登録情報記憶手段から取得する登録情報取得ステップと、
上記サーバ装置の上記制御部において実行される、
上記登録情報取得ステップにて取得された上記登録情報を上記端末装置に送信する登録情報送信ステップと、
上記端末装置の上記制御部において実行される、
上記サーバ装置から送信される、上記登録情報を受信する登録情報受信ステップと、
上記端末装置の上記制御部において実行される、
上記登録情報受信ステップにて受信された上記登録情報に基づいて、上記時間に関連付けて上記行動指標を上記出力部に出力する登録情報出力ステップと、
を含むことを特徴とする、情報提供方法。
【請求項１２】
施設情報毎に登録された、時間に関連する行動指標を示す登録情報を記憶する施設登録情報記憶手段と、登録情報取得手段と、登録情報出力手段と、を備えた情報提供システムにおいて実行される情報提供方法であって、
上記登録情報取得手段が、地点情報に対応する上記施設情報の上記登録情報を上記施設登録情報記憶手段から取得する登録情報取得ステップと、
上記登録情報出力手段が、上記登録情報取得ステップにて取得された上記登録情報に基づいて、上記時間に関連付けて上記行動指標を上記出力部に出力する登録情報出力ステップと、
を含むことを特徴とする、情報提供方法。
【請求項１３】
記憶部を少なくとも備えたサーバ装置に通信可能に接続された、制御部と出力部とを少なくとも備えた端末装置において実行される情報提供方法であって、
上記記憶部は、
施設情報毎に登録された、時間に関連する行動指標を示す登録情報を記憶する施設登録情報記憶手段、
を備え、
上記制御部において実行される、
上記地点情報を上記サーバ装置に送信する地点情報送信ステップと、
上記サーバ装置から送信される、上記施設登録情報記憶手段から取得された上記地点情報に対応する上記施設情報の上記登録情報を、受信する登録情報受信ステップと、
上記登録情報受信ステップにて受信された上記登録情報に基づいて、上記時間に関連付けて上記行動指標を上記出力部に出力する登録情報出力ステップと、
を含むことを特徴とする、情報提供方法。
【請求項１４】
出力部を少なくとも備えた端末装置に通信可能に接続された、制御部と記憶部とを少なくとも備えたサーバ装置において実行される情報提供方法であって、
上記記憶部は、
施設情報毎に登録された、時間に関連する行動指標を示す登録情報を記憶する施設登録情報記憶手段、
を備え、
上記制御部において実行される、
上記端末装置から送信される、地点情報を受信する地点情報受信ステップと、
上記地点情報受信ステップにて受信された上記地点情報に対応する上記施設情報の上記登録情報を上記施設登録情報記憶手段から取得する登録情報取得ステップと、
上記登録情報取得ステップにて取得された上記登録情報を上記端末装置に送信する登録情報送信ステップと、
を含むことを特徴とする、情報提供方法。
【請求項１５】
出力部を少なくとも備えた端末装置に通信可能に接続された、制御部と記憶部とを少なくとも備えたサーバ装置において実行される情報提供方法であって、
上記記憶部は、
施設情報毎に登録された、時間に関連する行動指標を示す登録情報を記憶する施設登録情報記憶手段、
を備え、
上記制御部において実行される、
地点情報に対応する上記施設情報の上記登録情報を上記施設登録情報記憶手段から取得する登録情報取得ステップと、
上記登録情報取得ステップにて取得された上記登録情報に基づく表示画面を生成する表示画面生成ステップと、
上記表示画面を含む出力制御情報を上記端末装置に送信することにより、当該端末装置の上記出力部を介して当該出力制御情報を出力させる出力制御ステップと、
を含むことを特徴とする、情報提供方法。
【請求項１６】
制御部と記憶部と出力部とを少なくとも備えた情報提供装置において実行される情報提供方法であって、
上記記憶部は、
施設情報毎に登録された、時間に関連する行動指標を示す登録情報を記憶する施設登録情報記憶手段、
を備え、
上記制御部において実行される、
地点情報に対応する上記施設情報の上記登録情報を上記施設登録情報記憶手段から取得する登録情報取得ステップと、
上記登録情報取得ステップにて取得された上記登録情報に基づいて、上記時間に関連付けて上記行動指標を上記出力部に出力する登録情報出力ステップと、
を含むことを特徴とする、情報提供方法。
【請求項１７】
記憶部を少なくとも備えたサーバ装置に通信可能に接続された、制御部と出力部とを少なくとも備えた端末装置に実行させるためのプログラムであって、
上記記憶部は、
施設情報毎に登録された、時間に関連する行動指標を示す登録情報を記憶する施設登録情報記憶手段、
を備え、
上記制御部において、
上記地点情報を上記サーバ装置に送信する地点情報送信ステップと、
上記サーバ装置から送信される、上記施設登録情報記憶手段から取得された上記地点情報に対応する上記施設情報の上記登録情報を、受信する登録情報受信ステップと、
上記登録情報受信ステップにて受信された上記登録情報に基づいて、上記時間に関連付けて上記行動指標を上記出力部に出力する登録情報出力ステップと、
を実行させるためのプログラム。
【請求項１８】
出力部を少なくとも備えた端末装置に通信可能に接続された、制御部と記憶部とを少なくとも備えたサーバ装置に実行させるためのプログラムであって、
上記記憶部は、
施設情報毎に登録された、時間に関連する行動指標を示す登録情報を記憶する施設登録情報記憶手段、
を備え、
上記制御部において、
上記端末装置から送信される、地点情報を受信する地点情報受信ステップと、
上記地点情報受信ステップにて受信された上記地点情報に対応する上記施設情報の上記登録情報を上記施設登録情報記憶手段から取得する登録情報取得ステップと、
上記登録情報取得ステップにて取得された上記登録情報を上記端末装置に送信する登録情報送信ステップと、
を実行させるためのプログラム。
【請求項１９】
出力部を少なくとも備えた端末装置に通信可能に接続された、制御部と記憶部とを少なくとも備えたサーバ装置に実行させるためのプログラムであって、
上記記憶部は、
施設情報毎に登録された、時間に関連する行動指標を示す登録情報を記憶する施設登録情報記憶手段、
を備え、
上記制御部において、
地点情報に対応する上記施設情報の上記登録情報を上記施設登録情報記憶手段から取得する登録情報取得ステップと、
上記登録情報取得ステップにて取得された上記登録情報に基づく表示画面を生成する表示画面生成ステップと、
上記表示画面を含む出力制御情報を上記端末装置に送信することにより、当該端末装置の上記出力部を介して当該出力制御情報を出力させる出力制御ステップと、
を実行させるためのプログラム。
【請求項２０】
制御部と記憶部と出力部とを少なくとも備えた情報提供装置に実行させるためのプログラムであって、
上記記憶部は、
施設情報毎に登録された、時間に関連する行動指標を示す登録情報を記憶する施設登録情報記憶手段、
を備え、
上記制御部において、
地点情報に対応する上記施設情報の上記登録情報を上記施設登録情報記憶手段から取得する登録情報取得ステップと、
上記登録情報取得ステップにて取得された上記登録情報に基づいて、上記時間に関連付けて上記行動指標を上記出力部に出力する登録情報出力ステップと、
を実行させるためのプログラム。
【発明の詳細な説明】
【技術分野】
【０００１】
本発明は、情報提供システム、端末装置、サーバ装置、情報提供装置、情報提供方法、および、プログラムに関する。
【背景技術】
【０００２】
従来、利用者の行動履歴から、移動パターンや嗜好等の特性を分析し、分析結果を利用して情報提供等を行う装置が開発されている。
【０００３】
例えば、特許文献１には、特性抽出装置において、測定した位置データと地図情報データベースとを照合することにより、現在位置の場所データを引き出し、訪問した状況の状況データと関連付けて履歴を蓄積して、移動パターン等の特性を抽出し、利用者の現在の状況に基づいて、抽出した特性からルールを適用して情報提供等を行う技術が開示されている。
【先行技術文献】
【特許文献】
【０００４】
【特許文献１】特開２０００−１５５７５７号公報
【発明の概要】
【発明が解決しようとする課題】
【０００５】
しかしながら、従来の技術においては、行動履歴から抽出した特性をルール化して情報提供等に利用しているが、利用者の行動は、その都度詳細な点で異なるため、データは分散化してしまいルール化できるほどの詳細な特性を抽出することは非現実的である、という問題点を有していた。
【０００６】
特に、特許文献１に記載の技術では、スポットとスポットとを紐付けしてルール化した特性を利用しているため、ある程度大きな幅で閾値を設けてルールを抽出したとしても、利用者がスポットを逆順で巡るなど利用者の状況が紐付きのルールと少しでも異なると、ルールを利用できない、という問題点を有していた。
【０００７】
本発明は、上記問題点に鑑みてなされたもので、移動パターン等のように抽出した特徴をルール化して利用することなく、利用者に適切な行動指標を提供することができる、情報提供システム、端末装置、サーバ装置、情報提供装置、情報提供方法、および、プログラムを提供することを目的とする。
【課題を解決するための手段】
【０００８】
このような目的を達成するため、本発明の情報提示システムは、制御部と記憶部とを少なくとも備えたサーバ装置、および、制御部と出力部とを少なくとも備えた端末装置、を通信可能に接続した情報提供システムであって、上記サーバ装置の上記記憶部は、施設情報毎に登録された、時間に関連する行動指標を示す登録情報を、記憶する施設登録情報記憶手段、を備え、上記サーバ装置の上記制御部は、上記端末装置から送信される、地点情報を受信する地点情報受信手段と、上記地点情報受信手段により受信された上記地点情報に対応する上記施設情報の上記登録情報を上記施設登録情報記憶手段から取得する登録情報取得手段と、上記登録情報取得手段により取得された上記登録情報を上記端末装置に送信する登録情報送信手段と、上記端末装置の上記制御部は、上記地点情報を上記サーバ装置に送信する地点情報送信手段と、上記サーバ装置から送信される、上記登録情報を受信する登録情報受信手段と、上記登録情報受信手段により受信された上記登録情報に基づいて、上記時間に関連付けて上記行動指標を上記出力部に出力する登録情報出力手段と、を備えたことを特徴とする。
【０００９】
また、本発明の情報提示システムは、上記記載の情報提供システムにおいて、上記登録情報は、上記施設情報の施設に対して所定期間における所定回数の訪問を促す情報であって、上記端末装置の上記制御部は、現在位置情報に基づいて、上記施設情報の施設に対する上記所定期間における訪問回数を上記所定回数に達するまでカウント処理して上記登録情報を更新する登録情報処理手段、を更に備え、上記登録情報出力手段は、上記登録情報処理手段により更新された上記登録情報に基づいて、上記所定期間までに上記所定回数までの上記訪問を促す情報を、上記出力部に出力することを特徴とする。
【００１０】
また、本発明の情報提示システムは、上記記載の情報提供システムにおいて、上記登録情報は、上記施設情報の施設に対する所定期間経過後の訪問を促す情報であって、上記端末装置の上記制御部は、現在位置情報に基づいて、上記施設情報の施設への訪問を判定して上記登録情報を更新する登録情報処理手段、を更に備え、上記登録情報出力手段は、上記登録情報処理手段により更新された上記登録情報に基づいて、上記所定期間経過後に上記施設への訪問を促す情報を、上記出力部に出力することを特徴とする。
【００１１】
また、本発明の情報提示システムは、上記記載の情報提供システムにおいて、上記登録情報は、上記施設情報の施設に対する所定期間内の行動を促すクーポン情報であって、上記登録情報出力手段は、上記登録情報受信手段により受信された上記登録情報に基づいて、上記クーポン情報を上記出力部に出力することを特徴とする。
【００１２】
また、本発明の情報提示システムは、上記記載の情報提供システムにおいて、上記施設登録情報記憶手段は、更に利用者識別情報に対応付けて、上記施設情報毎の上記登録情報を記憶し、上記地点情報受信手段は、上記地点情報とともに上記利用者識別情報を受信し、上記登録情報取得手段は、上記地点情報受信手段により受信された上記地点情報および上記利用者識別情報に対応する上記登録情報を上記施設登録情報記憶手段から取得することを特徴とする。
【００１３】
また、本発明の情報提示システムは、施設情報毎に登録された、時間に関連する行動指標を示す登録情報を記憶する施設登録情報記憶手段と、地点情報に対応する上記施設情報の上記登録情報を上記施設登録情報記憶手段から取得する登録情報取得手段と、上記登録情報取得手段により取得された上記登録情報に基づいて、上記時間に関連付けて上記行動指標を上記出力部に出力する登録情報出力手段と、を備えたことを特徴とする。
【００１４】
また、本発明の端末装置は、記憶部を少なくとも備えたサーバ装置に通信可能に接続された、制御部と出力部とを少なくとも備えた端末装置であって、上記記憶部は、施設情報毎に登録された、時間に関連する行動指標を示す登録情報を記憶する施設登録情報記憶手段、を備え、上記制御部は、上記地点情報を上記サーバ装置に送信する地点情報送信手段と、上記サーバ装置から送信される、上記施設登録情報記憶手段から取得された上記地点情報に対応する上記施設情報の上記登録情報を、受信する登録情報受信手段と、上記登録情報受信手段により受信された上記登録情報に基づいて、上記時間に関連付けて上記行動指標を上記出力部に出力する登録情報出力手段と、を備えたことを特徴とする。
【００１５】
また、本発明のサーバ装置は、出力部を少なくとも備えた端末装置に通信可能に接続された、制御部と記憶部とを少なくとも備えたサーバ装置であって、上記記憶部は、施設情報毎に登録された、時間に関連する行動指標を示す登録情報を記憶する施設登録情報記憶手段、を備え、上記制御部は、上記端末装置から送信される、地点情報を受信する地点情報受信手段と、上記地点情報受信手段により受信された上記地点情報に対応する上記施設情報の上記登録情報を上記施設登録情報記憶手段から取得する登録情報取得手段と、上記登録情報取得手段により取得された上記登録情報を上記端末装置に送信する登録情報送信手段と、を備えたことを特徴とする。
【００１６】
また、本発明のサーバ装置は、出力部を少なくとも備えた端末装置に通信可能に接続された、制御部と記憶部とを少なくとも備えたサーバ装置であって、上記記憶部は、施設情報毎に登録された、時間に関連する行動指標を示す登録情報を記憶する施設登録情報記憶手段、を備え、上記制御部は、地点情報に対応する上記施設情報の上記登録情報を上記施設登録情報記憶手段から取得する登録情報取得手段と、上記登録情報取得手段により取得された上記登録情報に基づく表示画面を生成する表示画面生成手段と、上記表示画面を含む出力制御情報を上記端末装置に送信することにより、当該端末装置の上記出力部を介して当該出力制御情報を出力させる出力制御手段と、を備えたことを特徴とする。
【００１７】
また、本発明の情報提供装置は、制御部と記憶部と出力部とを少なくとも備えた情報提供装置であって、上記記憶部は、施設情報毎に登録された、時間に関連する行動指標を示す登録情報を記憶する施設登録情報記憶手段、を備え、上記制御部は、地点情報に対応する上記施設情報の上記登録情報を上記施設登録情報記憶手段から取得する登録情報取得手段と、上記登録情報取得手段により取得された上記登録情報に基づいて、上記時間に関連付けて上記行動指標を上記出力部に出力する登録情報出力手段と、を備えたことを特徴とする。
【００１８】
また、本発明の情報提供方法は、制御部と記憶部とを少なくとも備えたサーバ装置、および、制御部と出力部とを少なくとも備えた端末装置、を通信可能に接続した情報提供システムにおいて実行される情報提供方法であって、上記サーバ装置の上記記憶部は、施設情報毎に登録された、時間に関連する行動指標を示す登録情報を記憶する施設登録情報記憶手段、を備え、上記端末装置の上記制御部において実行される、地点情報を上記サーバ装置に送信する地点情報送信ステップと、上記サーバ装置の上記制御部において実行される、上記端末装置から送信される、上記地点情報を受信する地点情報受信ステップと、上記サーバ装置の上記制御部において実行される、上記地点情報受信ステップにて受信された上記地点情報に対応する上記施設情報の上記登録情報を上記施設登録情報記憶手段から取得する登録情報取得ステップと、上記サーバ装置の上記制御部において実行される、上記登録情報取得ステップにて取得された上記登録情報を上記端末装置に送信する登録情報送信ステップと、上記端末装置の上記制御部において実行される、上記サーバ装置から送信される、上記登録情報を受信する登録情報受信ステップと、上記端末装置の上記制御部において実行される、上記登録情報受信ステップにて受信された上記登録情報に基づいて、上記時間に関連付けて上記行動指標を上記出力部に出力する登録情報出力ステップと、を含むことを特徴とする。
【００１９】
また、本発明の情報提供方法は、施設情報毎に登録された、時間に関連する行動指標を示す登録情報を記憶する施設登録情報記憶手段と、登録情報取得手段と、登録情報出力手段と、を備えた情報提供システムにおいて実行される情報提供方法であって、上記登録情報取得手段が、地点情報に対応する上記施設情報の上記登録情報を上記施設登録情報記憶手段から取得する登録情報取得ステップと、上記登録情報出力手段が、上記登録情報取得ステップにて取得された上記登録情報に基づいて、上記時間に関連付けて上記行動指標を上記出力部に出力する登録情報出力ステップと、を含むことを特徴とする。
【００２０】
また、本発明の情報提供方法は、記憶部を少なくとも備えたサーバ装置に通信可能に接続された、制御部と出力部とを少なくとも備えた端末装置において実行される情報提供方法であって、上記記憶部は、施設情報毎に登録された、時間に関連する行動指標を示す登録情報を記憶する施設登録情報記憶手段、を備え、上記制御部において実行される、上記地点情報を上記サーバ装置に送信する地点情報送信ステップと、上記サーバ装置から送信される、上記施設登録情報記憶手段から取得された上記地点情報に対応する上記施設情報の上記登録情報を、受信する登録情報受信ステップと、上記登録情報受信ステップにて受信された上記登録情報に基づいて、上記時間に関連付けて上記行動指標を上記出力部に出力する登録情報出力ステップと、を含むことを特徴とする。
【００２１】
また、本発明の情報提供方法は、出力部を少なくとも備えた端末装置に通信可能に接続された、制御部と記憶部とを少なくとも備えたサーバ装置において実行される情報提供方法であって、上記記憶部は、施設情報毎に登録された、時間に関連する行動指標を示す登録情報を記憶する施設登録情報記憶手段、を備え、上記制御部において実行される、上記端末装置から送信される、地点情報を受信する地点情報受信ステップと、上記地点情報受信ステップにて受信された上記地点情報に対応する上記施設情報の上記登録情報を上記施設登録情報記憶手段から取得する登録情報取得ステップと、上記登録情報取得ステップにて取得された上記登録情報を上記端末装置に送信する登録情報送信ステップと、を含むことを特徴とする。
【００２２】
また、本発明の情報提供方法は、出力部を少なくとも備えた端末装置に通信可能に接続された、制御部と記憶部とを少なくとも備えたサーバ装置において実行される情報提供方法であって、上記記憶部は、施設情報毎に登録された、時間に関連する行動指標を示す登録情報を記憶する施設登録情報記憶手段、を備え、上記制御部において実行される、地点情報に対応する上記施設情報の上記登録情報を上記施設登録情報記憶手段から取得する登録情報取得ステップと、上記登録情報取得ステップにて取得された上記登録情報に基づく表示画面を生成する表示画面生成ステップと、上記表示画面を含む出力制御情報を上記端末装置に送信することにより、当該端末装置の上記出力部を介して当該出力制御情報を出力させる出力制御ステップと、上記登録情報取得ステップにて取得された上記登録情報を上記端末装置に送信する出力制御ステップと、を含むことを特徴とする。
【００２３】
また、本発明の情報提供方法は、制御部と記憶部と出力部とを少なくとも備えた情報提供装置において実行される情報提供方法であって、上記記憶部は、施設情報毎に登録された、時間に関連する行動指標を示す登録情報を記憶する施設登録情報記憶手段、を備え、上記制御部において実行される、地点情報に対応する上記施設情報の上記登録情報を上記施設登録情報記憶手段から取得する登録情報取得ステップと、上記登録情報取得ステップにて取得された上記登録情報に基づいて、上記時間に関連付けて上記行動指標を上記出力部に出力する登録情報出力ステップと、を含むことを特徴とする。
【００２４】
また、本発明のプログラムは、記憶部を少なくとも備えたサーバ装置に通信可能に接続された、制御部と出力部とを少なくとも備えた端末装置に実行させるためのプログラムであって、上記記憶部は、施設情報毎に登録された、時間に関連する行動指標を示す登録情報を記憶する施設登録情報記憶手段、を備え、上記制御部において、上記地点情報を上記サーバ装置に送信する地点情報送信ステップと、上記サーバ装置から送信される、上記施設登録情報記憶手段から取得された上記地点情報に対応する上記施設情報の上記登録情報を、受信する登録情報受信ステップと、上記登録情報受信ステップにて受信された上記登録情報に基づいて、上記時間に関連付けて上記行動指標を上記出力部に出力する登録情報出力ステップと、を実行させることを特徴とする。
【００２５】
また、本発明のプログラムは、出力部を少なくとも備えた端末装置に通信可能に接続された、制御部と記憶部とを少なくとも備えたサーバ装置に実行させるためのプログラムであって、上記記憶部は、施設情報毎に登録された、時間に関連する行動指標を示す登録情報を記憶する施設登録情報記憶手段、を備え、上記制御部において、上記端末装置から送信される、地点情報を受信する地点情報受信ステップと、上記地点情報受信ステップにて受信された上記地点情報に対応する上記施設情報の上記登録情報を上記施設登録情報記憶手段から取得する登録情報取得ステップと、上記登録情報取得ステップにて取得された上記登録情報を上記端末装置に送信する登録情報送信ステップと、を実行させることを特徴とする。
【００２６】
また、本発明のプログラムは、出力部を少なくとも備えた端末装置に通信可能に接続された、制御部と記憶部とを少なくとも備えたサーバ装置に実行させるためのプログラムであって、上記記憶部は、施設情報毎に登録された、時間に関連する行動指標を示す登録情報を記憶する施設登録情報記憶手段、を備え、上記制御部において、地点情報に対応する上記施設情報の上記登録情報を上記施設登録情報記憶手段から取得する登録情報取得ステップと、上記登録情報取得ステップにて取得された上記登録情報に基づく表示画面を生成する表示画面生成ステップと、上記表示画面を含む出力制御情報を上記端末装置に送信することにより、当該端末装置の上記出力部を介して当該出力制御情報を出力させる出力制御ステップと、上記登録情報取得ステップにて取得された上記登録情報を上記端末装置に送信する出力制御ステップと、を実行させることを特徴とする。
【００２７】
また、本発明のプログラムは、制御部と記憶部と出力部とを少なくとも備えた情報提供装置に実行させるためのプログラムであって、上記記憶部は、施設情報毎に登録された、時間に関連する行動指標を示す登録情報を記憶する施設登録情報記憶手段、を備え、上記制御部において、地点情報に対応する上記施設情報の上記登録情報を上記施設登録情報記憶手段から取得する登録情報取得ステップと、上記登録情報取得ステップにて取得された上記登録情報に基づいて、上記時間に関連付けて上記行動指標を上記出力部に出力する登録情報出力ステップと、を実行させることを特徴とする。
【発明の効果】
【００２８】
この発明によれば、施設情報毎に登録された、時間に関連する行動指標を示す登録情報を記憶し、地点情報に対応する施設情報の登録情報を取得し、取得した登録情報に基づいて、時間に関連付けて行動指標を出力部に出力するので、移動パターン等のように抽出した特徴をルール化して利用することなく、利用者に適切な行動指標を提供することができるという効果を奏する。より具体的には、施設のスポットごとに期間および回数等を紐付けることでスポットをライフサイクル化させてスケジュール機能等として利用することができ、ユーザ依存するスポットのライフサイクル機能を実現することができる。すなわち、スポットをライフサイクル化させることで、ユーザの行動に基づいたスケジュールリストや経路案内等の提示を可能とすることができる。
【００２９】
また、この発明によれば、登録情報は、施設情報の施設に対して所定期間における所定回数の訪問を促す情報であって、現在位置情報に基づいて、施設情報の施設に対する所定期間における訪問回数を所定回数に達するまでカウント処理して登録情報を更新し、更新した登録情報に基づいて、所定期間までに所定回数までの訪問を促す情報を、出力部に出力するので、スポーツジム等のように定期的に通うことが勧められる施設に利用者を適切に誘導することができる、という効果を奏する。
【００３０】
また、この発明によれば、登録情報は、施設情報の施設に対する所定期間経過後の訪問を促す情報であって、現在位置情報に基づいて、施設情報の施設への訪問を判定して登録情報を更新し、更新した登録情報に基づいて、所定期間経過後に施設への訪問を促す情報を、出力部に出力するので、クリーニング店のように、一度訪れると所定期間をおいてから再訪問することが勧められる施設に利用者を適切に誘導することができる、という効果を奏する。
【００３１】
また、この発明によれば、登録情報は、施設情報の施設に対する所定期間内の行動を促すクーポン情報であって、登録情報に基づいて、クーポン情報を出力部に出力するので、有効期限のあるクーポンを提示して利用者を施設に効率的に誘導することができる、という効果を奏する。
【００３２】
また、この発明によれば、更に利用者識別情報に対応付けて、施設情報毎の登録情報を記憶し、地点情報とともに利用者識別情報を取得し、地点情報および利用者識別情報に対応する登録情報を取得するので、利用者毎に登録情報を設定することができ、例えば、利用者に施設情報毎に登録情報を個別に登録させることができる、という効果を奏する。
【００３３】
なお、上記において、本発明の情報提供システムを一例に効果の説明をしたが、端末装置、サーバ装置、情報提供装置、情報提供方法、および、プログラムにおいても同様の効果を奏する。
【図面の簡単な説明】
【００３４】
【図１】図１は、第１の実施形態における情報提供システムの構成の一例を示すブロック図である。
【図２】図２は、施設データベース２０６ａに記憶される、施設情報に対応付けられた登録情報の一例を示す図である。
【図３】図３は、第１の実施形態における情報提供システムの処理の一例を示すフローチャートである。
【図４】図４は、検索履歴から地点情報を取得するための画面例を示す図である。
【図５】図５は、電話発信履歴から地点情報を取得するための画面例を示す図である。
【図６】図６は、地点検索結果から地点情報を取得するための画面例を示す図である。
【図７】図７は、登録情報出力部１０２ｅによりスポットＩＤ：００１の登録情報に基づいて表示出力される表示画面の一例を示す図である。
【図８】図８は、登録情報出力部１０２ｅによりスポットＩＤ：００１の登録情報に基づいて表示出力される表示画面の一例を示す図である。
【図９】図９は、登録情報出力部１０２ｅによりスポットＩＤ：００２の登録情報に基づいて表示出力される表示画面の一例を示す図である。
【図１０】図１０は、登録情報出力部１０２ｅによりスポットＩＤ：００２の登録情報に基づいて表示出力される表示画面の一例を示す図である。
【図１１】図１１は、登録情報出力部１０２ｅによりスポットＩＤ：００４の登録情報に基づいて表示出力される表示画面の一例を示す図である。
【図１２】図１２は、第２の実施形態におけるサーバ装置２００の構成の一例を示すブロック図である。
【図１３】図１３は、第２の実施形態におけるサーバ装置２００の処理の一例を示すフローチャートである。
【図１４】図１４は、第３の実施形態における情報提供装置４００の構成の一例を示すブロック図である。
【図１５】図１５は、第３の実施形態における情報提供装置４００の処理の一例を示すフローチャートである。
【発明を実施するための形態】
【００３５】
以下に、本発明にかかる情報提供システム、端末装置、サーバ装置、情報提供装置、情報提供方法、および、プログラムの実施の形態を図面に基づいて詳細に説明する。なお、この実施の形態によりこの発明が限定されるものではない。
【００３６】
以下、本発明の構成および処理について、第１の実施形態（情報提供システム）、第２の実施形態（サーバ装置（サーバ主導型））、第３の実施形態（情報提供装置（スタンドアローン型））の順にて詳細に説明する。
【００３７】
［第１の実施形態］
最初に、本発明の第１の実施形態（情報提供システム）について、図１乃至図１１を参照して以下に説明する。但し、以下に示す第１の実施形態は、本発明の技術思想を具体化するための情報提供システムを例示するものであって、本発明をこの情報提供システムに特定することを意図するものではなく、特許請求の範囲に含まれるその他の実施形態の情報提供システムにも等しく適用し得るものである。例えば、第１の実施形態で例示する情報提供システムにおけるサーバ側と端末側の機能分散の形態は以下に限られず、同様の効果や機能を奏し得る範囲において、任意の単位で機能的または物理的に分散・統合して構成することができる。
【００３８】
［情報提供システムの構成］
まず、第１の実施形態における情報提供システムの構成の一例について、図１を参照して以下に説明する。ここで、図１は、第１の実施形態における情報提供システムの構成の一例を示すブロック図であり、該構成のうち本発明に関係する部分のみを概念的に示している。なお、本実施形態においては、通信型の情報提供を行う情報提供システムを具体例として説明するが、本発明はこれに限ることなく、スタンドアローンタイプの情報提供システムなどにも適用可能である。
【００３９】
図１に示すように、第１の実施形態の情報提供システムは、概略的に、施設に関する登録情報の提供等を行うことができるサーバ装置２００、および、単数または複数の端末装置１００、を通信可能に接続して構成される。ここで、図１に示すように、通信には、一例として、ネットワーク３００を介した有線・無線通信等の遠隔通信等を含む。また、これら情報提供システムの各部は任意の通信路を介して通信可能に接続されている。
【００４０】
図１に示すように、第１の実施形態の情報提供システムにおいて、サーバ装置２００は、概略的に、制御部２０２と記憶部２０６とを少なくとも備えており、端末装置１００は、位置取得部１１２と出力部１１４と入力部１１６と制御部１０２と記憶部１０６とを備える。
【００４１】
［サーバ装置２００の構成］
ここで、図１において、サーバ装置２００は、端末装置１００から送信される地点情報を受信し、受信した地点情報に対応する施設情報の登録情報を記憶部２０６から取得し、取得した登録情報を端末装置１００に送信する等の機能を有する。サーバ装置２００は、通信制御インターフェース部２０４を介してネットワーク３００を経由し、端末装置１００と相互に通信可能に接続されており、制御部２０２と記憶部２０６とを備える。制御部２０２は、各種処理を行う制御手段である。通信制御インターフェース部２０４は、通信回線や電話回線等に接続されるアンテナやルータ等の通信装置（図示せず）に接続されるインターフェースであり、サーバ装置２００とネットワーク３００との間における通信制御を行う機能を有する。すなわち、通信制御インターフェース部２０４は、端末装置１００等と通信回線を介してデータを通信する機能を有している。記憶部２０６は、ＨＤＤ（Ｈａｒｄ  Ｄｉｓｋ  Ｄｒｉｖｅ）等の固定ディスク装置およびＳＳＤ（Ｓｏｌｉｄ  Ｓｔａｔｅ  Ｄｒｉｖｅ）等のストレージ手段であり、各種のデータベースやテーブル（施設データベース２０６ａ等）を格納する。
【００４２】
これら記憶部２０６の各構成要素のうち、施設データベース２０６ａは、施設情報毎に登録された登録情報を記憶する施設登録情報記憶手段である。すなわち、施設データベース２０６ａは、施設（スポット）と、期間や回数等を紐付けて登録することで、スポット（施設）をライフサイクル化させている。ここで、施設データベース２０６ａに記憶される「登録情報」は、期間や回数や頻度等の時間に関連する行動指標を示す情報である。例えば、登録情報は、施設に対する定期的な訪問を誘導するために、当該施設に対して所定期間における所定回数の訪問を促す情報であってもよい。また、登録情報は、施設に対する１回の不定期な訪問を誘導するために、当該施設に対する所定期間経過後または所定期間内の訪問を促す情報であってもよい。また、登録情報は、施設に誘引するため、当該施設に対する所定期間内の行動を促すクーポン情報（クーポン画像データや、クーポン情報提供サイトへのリンクＵＲＬ、クーポンＩＤ等）であってもよい。ここで、登録情報は、処理を指令する処理情報（登録処理、カウント処理、発行処理等）と、期間や回数等のパラメータを示す付加情報とを含んでもよい。ここで、図２は、施設データベース２０６ａに記憶される、施設情報に対応付けられた登録情報の一例を示す図である。
【００４３】
図２に示すように、一例として、施設データベース２０６ａは、スポットＩＤと施設名称と緯度経度からなる施設情報と、処理情報と付加情報を含む登録情報とを対応付けて格納している。例えば、スポットＩＤ：００１の施設（スポーツジムＡ）の施設情報に対応付けて、当該スポーツジムに対する定期的な訪問を誘導するために、当該施設に対して１ヶ月の所定期間における４回の訪問を促す付加情報と、カウント処理を実行させる処理情報とを含む登録情報が格納される。また、スポットＩＤ：００２の施設（クリーニングＢ）の施設情報に対応付けて、当該クリーニング店に対する１回の不定期な訪問を誘導するために、当該施設に対する１週間後の訪問を促す付加情報と、登録処理を実行させる処理情報とを含む登録情報が格納される。また、スポットＩＤ：００４の施設（レストランＤ）の施設情報に対応付けて、当該レストランに誘引するため、当該施設に対する有効期限内の訪問を促すクーポン情報（クーポン画像データや、クーポン情報提供サイトへのリンクＵＲＬ、クーポンＩＤ等）の付加情報と、発行処理を実行させる処理情報とを含む登録情報が格納される。
【００４４】
ここで、施設データベース２０６ａは、更に利用者識別情報に対応付けて、施設情報毎の登録情報を記憶してもよい。また、施設データベース２０６ａに記憶される施設情報は、スポットＩＤ（施設の識別情報等）に対応付けて、施設の位置（緯度経度や住所等）を示す施設位置情報を少なくとも含んでもよい。このほか、施設情報は、施設カテゴリ（ジャンルや種別等）、施設の名称、電話番号、ＵＲＬ、営業時間、施設規模、取扱商品、平均価格、口コミ情報等のように、施設（ＰＯＩ）についての属性を示す複数の項目を含んでもよい。ここで、ＰＯＩとは、ｐｏｉｎｔ  ｏｆ  ｉｎｔｅｒｅｓｔの略称であり、例えば、便利な場所や興味のある場所などとして人が知覚する特定の地点や施設等であってもよく、例えば、店舗、会社、事務所、公共施設、娯楽施設、および、屋外施設等の施設であってもよい。ここで、施設には、例えば、飲食店、食料品店、酒店、タバコ店、百貨店、ショッピングセンター、スーパーマーケット、コンビニエンスストア、ガソリンスタンド、金融機関、郵便局、立体駐車場、および、ホテルや旅館等の宿泊施設等を含み、施設カテゴリは、これらの種別を示す情報であってもよい。また、施設データベース２０６ａは、施設に対応したアイコンを記憶していてもよい。これら施設情報は、施設データベース２０６ａに予め記憶されており、サーバ装置２００の制御部２０２は、定期的にネットワーク３００を介して最新のデータを外部機器６００（例えば、施設情報を提供する施設情報提供サーバなど）等からダウンロードして施設データベース２０６ａに記憶された施設情報をアップデートしてもよい。
【００４５】
このほか、記憶部２０６は、交通網を規定するネットワークデータや、地図データを記憶してもよい。ここで、ネットワークデータは、道路ネットワークデータ、路線網ネットワークデータ、または、施設内ネットワークデータであってもよい。例えば、道路ネットワークデータは、道路網を規定し、例えば、交差点等の道路網表現上の結節点であるノードのノードデータと、ノード間の道路区間であるリンクのリンクデータとの組み合わせによって表現されるネットワークデータであってもよい。また、路線網ネットワークデータは、各交通機関の路線網を規定し、例えば、路線網表現上の結節点であるノードのノードデータと、ノード間を接続するリンクのリンクデータとの組み合わせによって表現されるネットワークデータであってもよい。また、地図データは、例えば、縮尺に従ってメッシュ化された地図データ（例えば、ＪＩＳ規格の第１〜３次地域区画メッシュデータ、および、１００ｍメッシュデータ等）等の屋外または屋内の地図情報であってもよい。なお、地図データ上の位置（緯度経度等）に対応付けて、スポットＩＤ等の施設識別情報が格納されてもよい。これらネットワークデータや地図データは、記憶部２０６に予め記憶されてもよく、サーバ装置２００の制御部２０２は、定期的にネットワーク３００を介して最新のデータを外部機器（例えば、ネットワークデータや地図データ等を提供する地図提供サーバなど）等からダウンロードして記憶部２０６に記憶されたネットワークデータや地図データ等をアップデートしてもよい。
【００４６】
また、制御部２０２は、ＯＳ（Ｏｐｅｒａｔｉｎｇ  Ｓｙｓｔｅｍ）等の制御プログラムや、各種の処理手順等を規定したプログラム、および、所要データを格納するための内部メモリを有する。そして、制御部２０２は、これらのプログラム等により、種々の処理を実行するための情報処理を行う。制御部２０２は、機能概念的に、地点情報受信部２０２ａ、登録情報取得部２０２ｂ、登録情報送信部２０２ｃ、および、登録情報設定部２０２ｄを備える。
【００４７】
このうち、地点情報受信部２０２ａは、端末装置１００から送信される、地点情報を受信する地点情報受信手段である。ここで、地点情報受信部２０２ａは、端末装置１００から地点情報とともに送信される利用者識別情報を受信してもよい。また、地点情報受信部２０２ａは、ネットワーク３００の通信ルート解析等により、利用者識別情報を取得してもよい。
【００４８】
また、登録情報取得部２０２ｂは、地点情報受信部２０２ａにより受信された地点情報（緯度経度、住所等）に対応する施設情報の登録情報を施設データベース２０６ａから取得する登録情報取得手段である。例えば、登録情報取得部２０２ｂは、まず、地点情報が示す位置に対応する、施設データベース２０６ａに記憶された施設情報の施設位置情報を検索して該当する施設情報（スポットＩＤ等）を特定し、つづいて、当該施設情報に対応する登録情報を取得してもよい。また、登録情報取得部２０２ｂは、地点情報受信部２０２ａにより受信または取得された地点情報および利用者識別情報に対応する登録情報を施設データベース２０６ａから取得してもよい。
【００４９】
また、登録情報送信部２０２ｃは、登録情報取得部２０２ｂにより取得された登録情報を端末装置１００に送信する登録情報送信手段である。
【００５０】
また、登録情報設定部２０２ｄは、施設データベース２０６ａに、施設情報に対応付けて登録情報を設定する登録情報設定手段である。例えば、登録情報設定部２０２ｄは、端末装置１００から利用者識別情報とともに送信される、登録情報編集情報を受信して、登録情報編集情報に基づいて、施設データベース２０６ａの施設情報および利用者識別情報に対応する登録情報を編集してもよい。
【００５１】
このほか、制御部２０２は、端末装置１００から送信される経路探索条件に従って、記憶部２０６に記憶されたネットワークデータや地図データ等に基づいて、経路探索を実行して生成した経路案内データ等を端末装置１００に送信してもよい。
【００５２】
［端末装置１００の構成］
また、図１において、端末装置１００は、地点情報をサーバ装置２００に送信し、サーバ装置２００から送信される登録情報を受信し、受信した登録情報に基づいて、時間に関連付けて行動指標を出力部１１４に出力する等の機能を有する。端末装置１００は、例えば、一般に市販されるデスクトップ型またはノート型のパーソナルコンピュータ等の情報処理装置、携帯電話、スマートフォン、ＰＨＳ、およびＰＤＡ等の携帯端末装置、および、走行経路案内等を行なうナビゲーション端末（例えば、カーナビゲーション装置など）等である。ここで、端末装置１００は、インターネットブラウザ等を搭載していてもよく、経路案内アプリケーション、乗換案内アプリケーション、および情報検索アプリケーション等を搭載していてもよい。また、端末装置１００は、リアルタイムに現在位置取得が行えるよう、ＧＰＳ機能やＩＭＥＳ機能等を有する位置取得部１１２を備えていてもよい。また、端末装置１００は、出力部１１４を備える。
【００５３】
ここで、出力部１１４は、例えば、スケジュール帳アプリケーション等の表示画面を表示する表示手段（例えば、液晶または有機ＥＬ等から構成されるディスプレイおよびモニタ等）であってもよい。また、出力部１１４は、音声データを音声として出力する音声出力手段（例えば、スピーカ等）であってもよい。また、端末装置１００は、経路探索条件等の入力等を行う入力部１１６（例えば、キー入力部、タッチパネル、キーボード、およびマイク等）を備えていてもよい。また、出力部１１４は、クーポン情報等を印刷出力する印刷手段（プリンタ等）であってもよい。また、入出力制御インターフェース部１０８は、位置取得部１１２、出力部１１４、および、入力部１１６等の制御を行う。
【００５４】
ここで、位置取得部１１２は、例えば、位置発信装置５００から発信される位置情報信号を受信する信号受信手段であってもよい。ここで、位置発信装置５００は、位置情報信号（ＧＰＳ信号）を発信するＧＰＳ装置であってもよい。また、位置発信装置５００は、端末装置１００との間で無線通信を行うための装置等である基地局（例えば、携帯電話、自動車電話、および、ＰＨＳの基地局等）であってもよい。また、位置発信装置５００は、ＧＰＳ信号と類似した特徴を持つ位置情報信号を用いて屋内測位を可能とするＩＭＥＳ（Ｉｎｄｏｏｒ  Ｍｅｓｓａｇｅ  Ｓｙｓｔｅｍ）技術を実現するＩＭＥＳ装置であってもよい。なお、ＩＭＥＳ技術は測位衛星システムである準天頂衛星の枠組みから発案されたシステムである。
【００５５】
また、位置発信装置５００は、屋外で受信したＧＰＳ信号を屋内で発信するＧＰＳリピータであってもよい。また、位置発信装置５００は、建物（例えば、立体駐車場等）内の各フロアや地下構造物（例えば、地下鉄駅、地下街、地下連絡通路、および地下駐車場等）の各所に任意に設置される小型発信装置であってもよい。なお、この小型発信装置には、設置場所に応じた自己位置情報（位置ＩＤ等）が割り振られている。そして、端末装置１００が通信可能範囲に入ると、端末装置１００は、小型発信装置から送信される自己位置情報を位置情報信号として受信する。この際の通信方式は、例えば、ＲＦＩＤ（Ｒａｄｉｏ  Ｆｒｅｑｕｅｎｃｙ  Ｉｄｅｎｔｉｆｉｃａｔｉｏｎ）タグシステムやＢｌｕｅｔｏｏｔｈ（登録商標）等の各種近距離無線方式や、赤外線通信方式等であってもよい。また、位置発信装置５００は、無線ＬＡＮのアクセスポイントであってもよい。本実施形態において、位置取得部１１２は、無線ＬＡＮ信号等を受信して、アクセスポイントの識別情報を取得してもよい。そして、制御部１０２は、位置取得部１１２にて取得したアクセスポイント固有の識別情報からアクセスポイントの位置を特定して位置情報を取得してもよい。また、本実施形態において、制御部１０２は、位置取得部１１２にて取得された位置情報信号から、緯度、経度、および、高さ情報を含む位置情報を算出してもよい。
【００５６】
また、位置取得部１１２は、更に、方位センサ、および、距離センサ等を備え、当該方位センサにて検出した端末装置１００の進行方向等の方位、および、当該距離センサにて検出した距離を取得してもよい。ここで、方位センサには、端末装置１００の絶対走行方位を検出する地磁気センサおよび端末装置１００の相対走行方位を検出する光ジャイロ等が使用されてもよい。また、方位センサは、地磁気センサと加速度センサを組み合わせることで方位や傾きに関する情報を取得できる電子コンパス等であってもよい。また、距離センサは、端末装置１００が車載の情報処理端末である場合、車軸の回転数に比例してパルス信号を発生させ、パルス信号の数量に比例した移動距離を検出してもよい。また、位置取得部１１２は、更に、通信装置を備えていてもよく、端末装置１００が車載の情報処理端末である場合、各車両に搭載された当該通信装置の車車間通信から自車位置を示す位置情報を取得してもよい。また、位置取得部１１２は、地図情報に基づいて端末装置１００の現在位置を示す位置情報を取得してもよい。
【００５７】
また、通信制御インターフェース部１０４は、通信回線や電話回線等に接続されるアンテナやルータ等の通信装置（図示せず）に接続されるインターフェースであり、端末装置１００とネットワーク３００との間における通信制御を行う機能を有する。すなわち、通信制御インターフェース部１０４は、サーバ装置２００等と通信回線を介してデータを通信する機能を有している。また、ネットワーク３００は、端末装置１００およびサーバ装置２００と、外部の地図提供サーバ等の外部機器または外部システムとを相互に接続する機能を有し、例えば、インターネット、電話回線網（携帯端末回線網および一般電話回線網等）、イントラネット、または、電力線通信（ＰＬＣ）等であってもよい。
【００５８】
また、記憶部１０６は、ＨＤＤやＳＳＤ等の大容量のストレージ手段、および／または、ＳＲＡＭ（Ｓｔａｔｉｃ  Ｒａｎｄｏｍ  Ａｃｃｅｓｓ  Ｍｅｍｏｒｙ）等を用いて構成される小容量高速メモリ（例えば、キャッシュメモリ）等のストレージ手段であり、各種のデータベースやファイルやテーブルを格納してもよい。ここで、記憶部１０６は、受信した登録情報などの各種のファイル等を一時的に記憶するものであってもよい。
【００５９】
また、制御部１０２は、ＯＳ等の制御プログラムや、各種の処理手順等を規定したプログラム、および、所要データを格納するための内部メモリを有する。そして、制御部１０２は、これらのプログラム等により、種々の処理を実行するための情報処理を行う。制御部１０２は、機能概念的に、地点情報取得部１０２ａ、地点情報送信部１０２ｂ、登録情報受信部１０２ｃ、登録情報処理部１０２ｄ、登録情報出力部１０２ｅ、および、登録情報編集部１０２ｆを備える。
【００６０】
このうち、地点情報取得部１０２ａは、地点情報を取得する地点情報取得手段である。ここで、地点情報は、端末装置１００または利用者の位置に関する情報であり、例えば、緯度経度や住所や電話番号等であってもよい。例えば、地点情報取得部１０２ａは、位置取得部１１２による測位結果のほか、電話発信履歴や、経路探索やスポット検索等の検索履歴、入力部１１６を介して利用者により入力された地点入力結果等に基づいて、地点情報を取得してもよい。ここで、地点情報取得部１０２ａは、端末装置１００の現在位置情報を所定時間（所定周期）ごと（例えば、１秒ごと、または、３分ごと等）に地点情報として取得してもよい。また、地点情報取得部１０２ａは、位置取得部１１２にて位置発信装置５００から受信した位置情報信号から算出した端末装置１００の現在位置情報を、地点情報として取得してもよい。また、地点情報取得部１０２ａは、利用者により入力部１１６を介して入力された現在位置についての位置座標等の位置情報を端末装置１００の現在位置情報として取得してもよい。ここで、利用者により入力部１１６を介して入力された現在位置情報に基づく現在位置は、利用者が現実に存在する位置であってもよく、利用者により任意に選択された仮想の現在位置（一例として、東京にいる利用者により選択された大阪の駅や空港等の任意の地点）であってもよい。例えば、地点情報取得部１０２ａは、入力部１１６を介して利用者に出力部１１４に表示された地図情報に基づく表示画面上で指定（例えば、タッチパネル式の出力部１１４での指定操作等）させた座標を端末装置１００の現在位置情報として取得してもよい。
【００６１】
また、地点情報送信部１０２ｂは、地点情報取得部１０２ａにより取得された地点情報を、サーバ装置２００に送信する地点情報送信手段である。ここで、地点情報送信部１０２ｂは、更に、端末装置１００の利用者の利用者識別情報をサーバ装置２００に送信してもよい。
【００６２】
また、登録情報受信部１０２ｃは、サーバ装置２００から送信される、登録情報を受信する登録情報受信手段である。ここで、登録情報受信部１０２ｃは、受信した登録情報を記憶部１０６に格納してもよい。
【００６３】
また、登録情報処理部１０２ｄは、登録情報受信部１０２ｃにより受信された登録情報に基づいて処理を実行する登録情報処理手段である。例えば、登録情報処理部１０２ｄは、地点情報取得部１０２ａにより取得された現在位置情報に基づいて、施設情報の施設に対する所定期間における訪問回数を所定回数に達するまでカウント処理して登録情報を更新してもよい。例えば、図２を参照して例示したように、スポットＩＤ：００１の登録情報に「カウント」との処理情報が含まれている場合、登録情報処理部１０２ｄは、付加情報の所定回数（例えば４回）に達するまで、現在位置情報に基づいて訪問回数をカウントアップまたはカウントダウンして、登録情報を更新する。また、登録情報処理部１０２ｄは、地点情報取得部１０２ａにより取得された現在位置情報に基づいて、施設情報の施設への訪問を判定して登録情報を更新してもよい。例えば、図２を参照して例示したように、スポットＩＤ：００２の登録情報に「登録」との処理情報が含まれている場合、登録情報処理部１０２ｄは、当該登録情報を記憶部１０６の所定の領域に登録し、付加情報の所定期間経過後（例えば１週間後）、現在位置情報に基づいて当該施設へ訪問したと判定すると登録情報を削除する等の更新処理を行ってもよい。すなわち、登録情報処理部１０２ｄは、登録情報に基づく行動指標が達成されたと判断した場合に、あるいは、期間を徒過する等により当該行動指標が達成されないことが確定した場合に、登録情報を記憶部１０６から削除してもよく、後述する登録情報出力部１０２ｅに出力されないよう制御してもよい。
【００６４】
また、登録情報出力部１０２ｅは、登録情報を出力部１１４に出力する登録情報出力手段である。例えば、登録情報出力部１０２ｅは、登録情報受信部１０２ｃにより受信された登録情報、または、登録情報処理部１０２ｄにより更新された登録情報に基づいて、時間に関連付けて行動指標を報知するよう出力部１１４に出力してもよい。例えば、登録情報出力部１０２ｅは、登録情報に基づく期間および回数等の時間に関する情報と、施設名等の施設に関する情報とを、表示出力または音声出力することにより、スケジュール機能やアラート機能を実現してもよい。例えば、登録情報出力部１０２ｅは、登録情報処理部１０２ｄによりカウント処理されて更新された登録情報の期間や回数に基づいて、「○月□日までに、あと△回、スポーツジムＡに通ってください。」とのテキストデータや音声データを出力部１１４を介して出力してもよい。また、登録情報出力部１０２ｅは、登録情報処理部１０２ｄにより記憶部１０６に登録処理された登録情報の期間等に基づいて、「クリーニングに出してから１週間が経ちました。クリーニング店Ｂに受取りに行ってください。」等のテキストデータや音声データを出力部１１４を介して出力してもよい。また、登録情報出力部１０２ｅは、登録情報にクーポン情報が含まれる場合、クーポン情報に基づいてクーポンの発行処理を行ってもよく、例えば、印刷手段として機能する出力部１１４にクーポンを印刷出力してもよく、表示手段として機能する出力部１１４にクーポンを表示出力してもよい。なお、登録情報出力部１０２ｅは、経路探索条件の入力画面に目的地として登録情報の施設を表示してもよい。
【００６５】
登録情報編集部１０２ｆは、利用者に入力部１１６を介して登録情報を入力させ、当該登録情報の編集を指示する登録情報編集情報を利用者識別情報とともにサーバ装置２００に送信する登録情報編集手段である。例えば、利用者がスポーツジムＡに水曜日と土曜日の週２回通うと決めた場合、登録情報編集部１０２ｆは、利用者に入力部１１６を介して当該曜日指定と回数指定を含む登録情報を入力させ、登録情報および利用者識別情報を含む登録情報編集情報をサーバ装置２００に送信してもよい。
【００６６】
以上で、第１の実施形態における情報提供システムの構成の一例の説明を終える。
【００６７】
［情報提供システムの処理］
次に、このように構成された第１の実施形態における情報提供システムの処理の一例について、以下に図３から図１１を参照して詳細に説明する。図３は、第１の実施形態における情報提供システムの処理の一例を示すフローチャートである。
【００６８】
図３に示すように、まず、端末装置１００の地点情報取得部１０２ａは、位置取得部１１２にて位置発信装置５００から受信した位置情報信号から算出した現在位置情報を地点情報として取得する（ステップＳＡ−１）。なお、地点情報取得部１０２ａは、位置取得部１１２による位置情報の取得に限らず、電話発信履歴や、経路探索やスポット検索等の検索履歴など、入力部１１６を介して利用者により入力された地点入力結果や検索結果等に基づいて、地点情報を取得してもよい。例えば、地点情報取得部１０２ａは、利用者により入力部１１６を介して入力された現在位置についての位置座標等の位置情報を地点情報として取得してもよい。ここで、図４は、検索履歴から地点情報を取得するための画面例を示す図であり、図５は、電話発信履歴から地点情報を取得するための画面例を示す図であり、図６は、地点検索結果から地点情報を取得するための画面例を示す図である。
【００６９】
一例として、図４に示すように、地点情報取得部１０２ａは、スポット検索等の検索履歴から、登録する地点を利用者に選択させる画面を出力部１１４に表示出力し、入力部１１６を介して利用者により選択された地点の地点情報を取得してもよい。例えば、図４の「スポーツジムＡ」の地点について、利用者により入力部１１６を介して「詳細」ボタンが押下されると、制御部１０２は、「スポーツジムＡ」の詳細情報（施設の住所、名称、電話番号、ＵＲＬ、営業時間、施設規模、取扱商品、平均価格、口コミ情報など）が表示されるよう出力部１１４を制御し、利用者により入力部１１６を介して「登録する」ボタンが押下されると、地点情報取得部１０２ａは、「スポーツジムＡ」の地点情報を取得してもよい。また、図５に示すように、地点情報取得部１０２ａは、電話機能を有する端末装置１００の電話発信履歴から、登録する地点を利用者に選択させる画面を表示出力し、入力部１１６を介して利用者により選択された地点の地点情報を取得してもよい。また、図６に示すように、地点情報取得部１０２ａは、地点検索結果から、登録する地点を利用者に選択させる画面を出力部１１４に表示出力し、入力部１１６を介して利用者により選択された地点の地点情報を取得してもよい。例えば、地点検索結果である図６の地図上の星印のスポット「スポーツジムＡ」の地点について、利用者により入力部１１６を介して「詳細」ボタンが押下されると、制御部１０２は、「スポーツジムＡ」の詳細情報（施設の住所など）が表示されるよう出力部１１４を制御し、入力部１１６を介して「登録する」ボタンが押下されると、地点情報取得部１０２ａは、「スポーツジムＡ」の地点情報を取得してもよい。なお、これら電話発信履歴や検索履歴等から地点情報や詳細情報等を取得する場合には、端末装置１００の地点情報取得部１０２ａは、サーバ装置２００の施設データベース２０６ａに問い合わせを行うことにより受信した施設情報等を利用してもよい。
【００７０】
再び図３に戻り、端末装置１００の地点情報送信部１０２ｂは、地点情報取得部１０２ａにより取得された地点情報をサーバ装置２００に送信する（ステップＳＡ−２）。
【００７１】
そして、サーバ装置２００の地点情報受信部２０２ａは、端末装置１００から送信された地点情報を受信する（ステップＳＡ−３）。ここで、地点情報受信部２０２ａは、端末装置１００から地点情報とともに送信される利用者識別情報を受信してもよい。
【００７２】
そして、サーバ装置２００の登録情報取得部２０２ｂは、地点情報受信部２０２ａにより受信された地点情報に対応する施設情報があるか否か、すなわち対応する施設（スポットＩＤ）の登録情報があるか否かを判定する（ステップＳＡ−４）。例えば、登録情報取得部２０２ｂは、地点情報が示す位置（緯度経度や住所等）に対応する施設情報の施設位置情報を施設データベース２０６ａから検索することにより、施設情報に対応する登録情報の有無を判定する。
【００７３】
地点情報に対応する施設情報の登録情報がある場合（ステップＳＡ−４、Ｙｅｓ）、サーバ装置２００の登録情報取得部２０２ｂは、当該施設情報に対応する登録情報を施設データベース２０６ａから取得する（ステップＳＡ−５）。ここで、登録情報取得部２０２ｂは、地点情報受信部２０２ａにより地点情報とともに利用者識別情報が受信された場合、地点情報と利用者識別情報に対応する登録情報を施設データベース２０６ａから取得してもよい。なお、地点情報に対応する施設情報の登録情報がない場合（ステップＳＡ−４、Ｎｏ）、サーバ装置２００は、処理を終える。
【００７４】
そして、サーバ装置２００の登録情報送信部２０２ｃは、登録情報取得部２０２ｂにより取得された登録情報を端末装置１００に送信する（ステップＳＡ−６）。
【００７５】
そして、端末装置１００の登録情報受信部１０２ｃは、サーバ装置２００から送信された登録情報を受信する（ステップＳＡ−７）。
【００７６】
そして、端末装置１００の登録情報処理部１０２ｄは、登録情報受信部１０２ｃにより受信された登録情報に基づいて処理を実行する（ステップＳＡ−８）。例えば、登録情報処理部１０２ｄは、登録情報が示す時間に関連づけられた行動指標を、利用者が達成するよう管理する機能を有する。一例として、登録情報処理部１０２ｄは、地点情報取得部１０２ａにより更新される現在位置情報に応じて、施設情報の施設に対する所定期間における訪問回数を所定回数に達するまでカウント処理して登録情報を更新してもよい。また、登録情報処理部１０２ｄは、地点情報取得部１０２ａにより更新される現在位置情報に応じて、施設情報の施設への訪問を判定して登録情報を更新してもよい。登録情報処理部１０２ｄは、登録情報に基づく行動指標が達成されたと判断された場合、登録情報を記憶部１０６から削除してもよく、後述する登録情報出力部１０２ｅに出力されないよう制御してもよい。
【００７７】
そして、端末装置１００の登録情報出力部１０２ｅは、登録情報受信部１０２ｃにより受信された登録情報、または、登録情報処理部１０２ｄにより更新された登録情報に基づいて、時間に関連付けて行動指標を出力部１１４に出力する（ステップＳＡ−９）。例えば、登録情報出力部１０２ｅは、登録情報に基づく期間および回数等の時間に関する情報と、施設名等の施設に関する情報とを、表示出力または音声出力することにより、スケジュール機能やアラート機能を実現してもよい。なお、端末装置１００は、登録情報処理部１０２ｄによるステップＳＡ−８の処理と登録情報出力部１０２ｅによるステップＳＡ−９の処理とを、繰り返し実行してもよい。ここで、図７および図８は、登録情報出力部１０２ｅによりスポットＩＤ：００１の登録情報に基づいて表示出力される表示画面の一例を示す図である。
【００７８】
上述のスポットＩＤ：００１の登録情報が登録された場合（図２参照）、図７に示すように、登録情報出力部１０２ｅは、スケジュール機能やアラート機能を実現するＴｏＤｏリストに、登録情報の更新があったことを示す表示画面を出力する。そして、利用者により入力部１１６を介して「閉じる」ボタンが押下された場合、図８に示すように、登録情報出力部１０２ｅは、更新された登録情報の内容を示す表示画面（破線部分）を出力する。この例の場合、今月中にスポーツジムＡにあと３回行く行動指標が示されるので、登録情報処理部１０２ｄは、利用者が当該施設に残り３回訪問するまで現在位置情報を監視することになる。すなわち、登録情報処理部１０２ｄは、地点情報取得部１０２ａにより更新される現在位置情報に基づいて、スポーツジムＡへの訪問回数をカウントダウンして行動指標が達成されるまで登録情報を更新しつづけ、登録情報出力部１０２ｅは、更新された登録情報に基づいて、カウントダウンされた訪問回数等を出力部１１４に出力する。ここで、図９および図１０は、登録情報出力部１０２ｅによりスポットＩＤ：００２の登録情報に基づいて表示出力される表示画面の一例を示す図である。
【００７９】
上述のスポットＩＤ：００２の登録情報が登録された場合（図２参照）、図９に示すように、登録情報出力部１０２ｅは、スケジュール機能やアラート機能を実現するＴｏＤｏリストに、登録情報の更新があったことを示す表示画面を出力する。そして、利用者により入力部１１６を介して「閉じる」ボタンが押下された場合、図１０に示すように、登録情報出力部１０２ｅは、更新された登録情報の内容を示す表示画面（破線部分）を出力する。この例の場合、９月１１日以降にクリーニングＢに行く行動指標が示されるので、登録情報処理部１０２ｄは、利用者が９月１１日以降に当該施設に訪問したか現在位置情報を監視することになる。すなわち、登録情報処理部１０２ｄは、地点情報取得部１０２ａにより更新される現在位置情報に応じて、９月１１日以降のクリーニング店Ｂへの訪問を判定し、行動指標が達成されたと判定すると登録情報の削除等の更新を行い、登録情報出力部１０２ｅは、更新された登録情報に基づいて、ＴｏＤｏリストから当該登録情報を非表示にする。
【００８０】
なお、上述のスポットＩＤ：００３の登録情報が登録された場合（図２参照）、登録情報出力部１０２ｅは、図１０に併せて図示されるように、更新された登録情報の内容を示す表示画面を出力する。この例の場合、２週間以内にＤＶＤレンタル店Ｃに返却に行く行動指標が示されるので、登録情報処理部１０２ｄは、利用者が２週間以内に当該施設に訪問したか現在位置情報を監視することになる。すなわち、登録情報処理部１０２ｄは、地点情報取得部２０２ｅにより更新される現在位置情報に応じて、２週間以内にＤＶＤレンタル店Ｃへの訪問を判定し、行動指標が達成されたと判定すると登録情報の削除等の更新を行い、登録情報出力部１０２ｅは、更新された登録情報に基づいて、ＴｏＤｏリストから当該登録情報を非表示にする。ここで、図１１は、登録情報出力部１０２ｅによりスポットＩＤ：００４の登録情報に基づいて表示出力される表示画面の一例を示す図である。
【００８１】
上述のスポットＩＤ：００４のクーポン情報を含む登録情報が登録された場合（図２参照）、図１１に示すように、登録情報出力部１０２ｅは、スケジュール機能やアラート機能を実現するＴｏＤｏリストに、登録情報の更新があったことを示す表示画面を出力する。そして、利用者により入力部１１６を介して「閉じる」ボタンが押下された場合、登録情報出力部１０２ｅは、更新された登録情報（クーポン情報）の内容を示す表示画面を出力する。なお、登録情報出力部１０２ｅは、クーポン情報に基づいてクーポンの発行処理を行ってもよく、例えば、印刷手段として機能する出力部１１４にクーポンを印刷出力してもよく、表示手段として機能する出力部１１４にクーポンを表示出力してもよい。
【００８２】
以上で、第１の実施形態における情報提供システムの処理の一例の説明を終える。
【００８３】
［第２の実施形態］
続いて、本発明の第２の実施形態（サーバ装置２００（サーバ主導型））について、図１２および図１３を参照して以下に説明する。ここで、図１２は、第２の実施形態におけるサーバ装置２００の構成の一例を示すブロック図であり、該構成のうち本発明に関係する部分のみを概念的に示している。また、図１３は、第２の実施形態におけるサーバ装置２００の処理の一例を示すフローチャートである。
【００８４】
なお、第２の実施形態においては、サーバ装置２００にて端末装置１００の出力部１１４に表示させるデータを生成し、これらのデータを端末装置１００に送信することにより、当該端末装置１００の出力部１１４を機能させている。このように、第２の実施形態は、サーバ装置２００にてサーバ主導で処理を行う点がその他の実施形態と異なる。
【００８５】
［サーバ装置２００（サーバ主導型）の構成］
まず、第２の実施形態におけるサーバ装置２００（サーバ主導型）の構成の一例について、図１２を参照して以下に説明する。
【００８６】
図１２に示すように、本発明の第２の実施形態のサーバ装置２００は、位置取得部１１２と出力部１１４と入力部１１６とを少なくとも備えた端末装置１００に通信可能に接続され、制御部２０２と記憶部２０６とを少なくとも備える。通信には、一例として、ネットワーク３００を介した有線・無線通信等の遠隔通信等を含む。また、これらサーバ装置２００および端末装置１００の各部は任意の通信路を介して通信可能に接続されている。
【００８７】
図１２において、サーバ装置２００は、端末装置１００の現在位置情報等の地点情報を取得し、取得された地点情報に対応する施設情報の登録情報を取得し、取得した登録情報に基づく表示画面を生成し、表示画面を含む出力制御情報を端末装置１００に送信することにより、当該端末装置１００の出力部１１４を介して当該出力制御情報に基づく表示画面を出力させる等の機能を有する。
【００８８】
なお、サーバ装置２００における通信制御インターフェース部２０４および記憶部２０６（施設データベース２０６ａ等）の機能、また、端末装置１００における位置取得部１１２、出力部１１４、および、入力部１１６の機能は、第１の実施形態と同様であるため説明を省略する。
【００８９】
また、図１２において、制御部２０２は、ＯＳ等の制御プログラムや、各種の処理手順等を規定したプログラム、および、所要データを格納するための内部メモリを有する。そして、制御部２０２は、これらのプログラム等により、種々の処理を実行するための情報処理を行う。制御部２０２は、機能概念的に、登録情報取得部２０２ｂ、登録情報設定部２０２ｄ、地点情報取得部２０２ｅ、登録情報処理部２０２ｆ、表示画面生成部２０２ｇ、および、出力制御部２０２ｈを備える。なお、登録情報取得部２０２ｂ、および、登録情報設定部２０２ｄの機能は、第１の実施形態と同様であるため説明を省略する。
【００９０】
このうち、地点情報取得部２０２ｅは、端末装置１００の現在位置情報等の地点情報を取得する地点情報取得手段である。例えば、地点情報取得部２０２ｅは、端末装置１００の位置取得部１１２にて位置発信装置５００から受信した位置情報信号を端末装置１００から受信し、当該位置情報信号から算出した端末装置１００の現在位置情報を地点情報として取得してもよい。また、地点情報取得部２０２ｅは、利用者により端末装置１００の入力部１１６を介して入力された現在位置についての位置座標等の位置情報を受信し、当該位置情報を端末装置１００の現在位置情報として取得してもよい。また、地点情報取得部２０２ｅは、このほか、電話発信履歴や、経路探索条件の出発地や、経路探索条件に基づく探索結果の地点、スポット検索結果等の検索履歴に基づく地点等に基づいて、地点情報を取得してもよい。
【００９１】
また、登録情報処理部２０２ｆは、登録情報取得部２０２ｂにより取得された登録情報に基づいて処理を実行する登録情報処理手段である。例えば、登録情報処理部２０２ｆは、地点情報取得部２０２ｅにより更新される現在位置情報に応じて、施設情報の施設に対する所定期間における訪問回数を所定回数に達するまでカウント処理して登録情報を更新してもよい。また、登録情報処理部２０２ｆは、地点情報取得部２０２ｅにより更新される現在位置情報に応じて、施設情報の施設への訪問を判定して登録情報を更新してもよい。すなわち、登録情報処理部２０２ｆは、登録情報に基づく行動指標が達成されたと判断した場合に、後述する表示画面生成部２０２ｇにより生成される表示画面から当該行動指標が削除等されるよう制御してもよい。
【００９２】
また、表示画面生成部２０２ｇは、登録情報に基づく表示画面を生成する表示画面生成手段である。ここで、表示画面生成部２０２ｇは、登録情報取得部２０２ｂにより取得された登録情報、または、登録情報処理部２０２ｆにより更新された登録情報に基づいて、日付等の時間に関連付けて行動指標を示す表示画面を生成してもよい。また、表示画面生成部２０２ｇは、例えば、登録情報に基づく期間および回数等の時間に関する情報と、施設名等の施設に関する情報とを含む表示画面を生成して、スケジュール機能やアラート機能を実現してもよい。例えば、表示画面生成部２０２ｇは、登録情報処理部２０２ｆによりカウント処理されて更新された登録情報の期間や回数に基づいて、「○月□日までに、あと△回、スポーツジムＡに通ってください。」等の文字を表示する表示画面を生成してもよい。また、表示画面生成部２０２ｇは、登録情報処理部２０２ｆにより登録処理された登録情報の所定期間等に基づいて、制御部２０２の内部クロックが示す現在日時が所定期間に到達した場合等に、「クリーニングに出してから１週間が経ちました。クリーニング店Ｂに受取りに行ってください。」等の文字を表示する表示画面を生成してもよい。また、表示画面生成部２０２ｇは、登録情報にクーポン情報が含まれる場合、クーポン情報に基づくクーポン表示画面を生成してもよい。なお、表示画面生成部２０２ｇは、経路探索条件の入力画面に目的地として登録情報の施設を表示してもよい。例えば、表示画面生成部２０２ｇは、地点情報取得部２０２ｅにより取得された現在位置情報に基づく現在位置を出発地とし、登録情報取得部２０２ｂにより取得された登録情報の施設を目的地として設定した経路探索条件を満たす案内経路の経路情報を、少なくとも含む経路案内情報に基づく表示画面を生成してもよい。また、表示画面生成部２０２ｇは、更に、端末装置１００の現在位置情報に基づく表示画面を生成してもよい。例えば、表示画面生成部２０２ｇは、経路案内情報に含まれる地図情報上に、経路案内情報に含まれる経路情報、および／または、端末装置１００の現在位置情報、を重畳した表示画面を生成してもよい。
【００９３】
また、出力制御部２０２ｈは、表示画面を含む出力制御情報を端末装置１００に送信することにより、当該端末装置１００の出力部１１４を介して当該出力制御情報を出力させる出力制御手段である。ここで、出力制御部２０２ｈは、表示画面を含む出力制御情報を端末装置１００に送信することにより、当該端末装置１００の出力部１１４に当該表示画面を表示させてもよい。また、出力制御部２０２ｈは、更に、表示画面に対応した音声データを含む出力制御情報を端末装置１００に送信することにより、端末装置１００の音声出力手段として機能する出力部１１４を介して出力させて音声案内を実行させてもよい。
【００９４】
以上で、第２の実施形態におけるサーバ装置２００の構成の一例の説明を終える。
【００９５】
［サーバ装置２００（サーバ主導型）の処理］
次に、このように構成された第２の実施形態におけるサーバ装置２００の処理の一例について、以下に図１３を参照して詳細に説明する。
【００９６】
図１３に示すように、まず、端末装置１００は、位置取得部１１２にて位置発信装置５００から受信した位置情報信号をサーバ装置２００に送信する（ステップＳＢ−１）。ここで、端末装置１００は、利用者により入力部１１６を介して入力された現在位置についての位置座標等の位置情報を送信してもよい。また、電話機能を有する端末装置１００から電話発信を行うことや、端末装置１００から経路探索条件やスポット検索条件等を送信することにより、位置情報信号として送信してもよい。
【００９７】
そして、サーバ装置２００の地点情報取得部２０２ｅは、端末装置１００の現在位置情報等の地点情報を取得する（ステップＳＢ−２）。例えば、地点情報取得部２０２ｅは、端末装置１００の位置取得部１１２にて位置発信装置５００から受信した位置情報信号を端末装置１００から受信し、当該位置情報信号から算出した現在位置情報を、地点情報として取得してもよい。また、地点情報取得部２０２ｅは、利用者により端末装置１００の入力部１１６を介して入力された現在位置についての位置座標等の位置情報を受信し、当該位置情報を地点情報として取得してもよい。また、地点情報取得部２０２ｅは、電話発信履歴や、経路探索条件の出発地、当該経路探索条件に基づく経路探索結果の目的地、スポット検索結果等の検索履歴に基づいて、地点情報を取得してもよい。ここで、地点情報取得部２０２ｅは、端末装置１００から地点情報とともに送信される利用者識別情報を受信してもよい。
【００９８】
そして、サーバ装置２００の登録情報取得部２０２ｂは、地点情報受信部２０２ａにより受信された地点情報に対応する施設情報の登録情報を取得する（ステップＳＢ−３）。例えば、登録情報取得部２０２ｂは、地点情報に対応する施設位置情報を有する施設（スポットＩＤ）を施設データベース２０６ａから検索して特定した施設の登録情報を取得してもよい。ここで、登録情報取得部２０２ｂは、地点情報取得部２０２ｅにより地点情報とともに利用者識別情報が受信または取得された場合、地点情報と利用者識別情報に対応する登録情報を施設データベース２０６ａから取得してもよい。
【００９９】
そして、サーバ装置２００の登録情報処理部２０２ｆは、登録情報取得部２０２ｂにより取得された登録情報に基づいて処理を実行する（ステップＳＢ−４）。例えば、登録情報処理部２０２ｆは、地点情報取得部２０２ｅにより更新される現在位置情報に応じて、施設情報の施設に対する所定期間における訪問回数を所定回数に達するまでカウント処理して登録情報を更新してもよい。また、登録情報処理部２０２ｆは、地点情報取得部２０２ｅにより更新される現在位置情報に応じて、施設情報の施設への訪問を判定して登録情報を更新してもよい。すなわち、登録情報処理部２０２ｆは、登録情報に基づく行動指標が達成されたと判断した場合に、後述する表示画面生成部２０２ｇにより生成される表示画面から当該行動指標が削除等されるよう制御してもよい。
【０１００】
そして、サーバ装置２００の表示画面生成部２０２ｇは、登録情報取得部２０２ｂにより取得された登録情報、または、登録情報処理部２０２ｆにより更新された登録情報に基づいて、日付等の時間に関連付けて行動指標を示す表示画面を生成する（ステップＳＢ−５）。例えば、表示画面生成部２０２ｇは、登録情報に基づく期間および回数等の時間に関する情報と、施設名等の施設に関する情報とを含む表示画面（ＴｏＤｏリスト画面等）を生成して、スケジュール機能やアラート機能を実現してもよい。例えば、表示画面生成部２０２ｇは、登録情報処理部２０２ｆによりカウント処理されて更新された登録情報の期間や回数に基づいて、「○月□日までに、あと△回、スポーツジムＡに通ってください。」等の文字を表示する表示画面を生成してもよい。また、表示画面生成部２０２ｇは、登録情報処理部２０２ｆにより登録処理された登録情報の期間等に基づいて、「クリーニングに出してから１週間が経ちました。クリーニング店Ｂに受取りに行ってください。」等の文字を表示する表示画面を生成してもよい。また、表示画面生成部２０２ｇは、登録情報にクーポン情報が含まれる場合、クーポン情報に基づくクーポン表示画面を生成してもよい。なお、表示画面生成部２０２ｇは、地点情報取得部２０２ｅにより取得された現在位置情報に基づく現在位置を出発地とし、登録情報取得部２０２ｂにより取得された登録情報の施設を目的地として設定した経路探索条件を満たす案内経路の経路情報を、少なくとも含む経路案内情報に基づく表示画面を生成してもよい。
【０１０１】
そして、サーバ装置２００の出力制御部２０２ｈは、表示画面を含む出力制御情報を端末装置１００に送信することにより（ステップＳＢ−６）、当該端末装置１００の出力部１１４を介して当該出力制御情報を出力させる（ステップＳＢ−７）。ここで、出力制御部２０２ｈは、表示画面を含む出力制御情報を端末装置１００に送信することにより、当該端末装置１００の出力部１１４に当該表示画面を表示させてもよい。また、出力制御部２０２ｈは、更に、表示画面に対応した音声データを含む出力制御情報を端末装置１００に送信することにより、端末装置１００の音声出力手段として機能する出力部１１４を介して出力させて音声案内を実行させてもよい。
【０１０２】
そして、サーバ装置２００の登録情報処理部２０２ｆは、登録情報の管理を終了するか否か判定する（ステップＳＢ−８）。例えば、登録情報処理部２０２ｆは、登録情報に基づいて、時間に関連する行動指標が達成されたと判定した場合、当該登録情報の管理を終了してもよく、また、時間に関連する行動指標において期限が徒過した場合等のように行動指標が達成されないことが確定した場合に、当該登録情報の管理を終了してもよい。
【０１０３】
登録情報処理部２０２ｆにより登録情報の管理を終了しないと判定された場合（ステップＳＢ−８、Ｎｏ）、ステップＳＢ−２に戻り上述した処理を繰り返す。一方、登録情報処理部２０２ｆにより登録情報の管理を終了すると判定された場合（ステップＳＢ−８、Ｙｅｓ）、サーバ装置２００は処理を終了する。
【０１０４】
以上で、第２の実施形態におけるサーバ装置２００の処理の一例の説明を終える。
【０１０５】
［第３の実施形態］
続いて、本発明の第３の実施形態（情報提供装置４００（スタンドアローン型））について、図１４および図１５を参照して以下に説明する。ここで、図１４は、第３の実施形態における情報提供装置４００の構成の一例を示すブロック図であり、該構成のうち本発明に関係する部分のみを概念的に示している。また、図１５は、第３の実施形態における情報提供装置４００の処理の一例を示すフローチャートである。
【０１０６】
なお、第３の実施形態においては、全ての機能を情報提供装置４００に集約し、サーバ装置２００に接続することなく、地点情報に対応する施設情報の登録情報を記憶部４０６から取得し、取得した登録情報に基づいて、時間に関連付けて行動指標を出力部４１４に出力する等の機能を有する。このように、第３の実施形態は、情報提供装置４００がスタンドアローン型に構成され単独で処理を行う点がその他の実施形態と異なる。
【０１０７】
［情報提供装置４００（スタンドアローン型）の構成］
まず、第３の実施形態における情報提供装置４００（スタンドアローン型）の構成の一例について、図１４を参照して以下に説明する。
【０１０８】
図１４に示すように、本発明の第３の実施形態の情報提供装置４００は、位置取得部４１２と出力部４１４と入力部４１６と制御部４０２と記憶部４０６とを少なくとも備える。これら情報提供装置４００の各部は任意の通信路を介して通信可能に接続されてもよい。情報提供装置４００は、例えば、ＰＮＤ（Ｐｏｒｔａｂｌｅ  Ｎａｖｉｇａｔｉｏｎ  Ｄｅｖｉｃｅ）等の各種ナビゲーション端末、ノート型のパーソナルコンピュータ等の各種情報処理装置、または、携帯電話やＰＨＳやＰＤＡ等の携帯端末装置等であってもよい。
【０１０９】
図１４において、入出力制御インターフェース部４０８、通信制御インターフェース部４０４、位置取得部４１２、出力部４１４、および、入力部４１６、並びに、ネットワーク３００、外部機器６００の各機能は、第１の実施形態と同様であるため説明を省略する。また、記憶部４０６の各部（施設データベース４０６ａ等）についても、サーバ装置２００ではなく情報提供装置４００に備えられている点を除き、各機能が第１の実施形態と同様であるため説明を省略する。
【０１１０】
また、制御部４０２の各部については、本実施形態の情報提供装置４００がスタンドアローン型であり、制御部４０２が各送信部を備えていない点を除き、各機能は第１の実施形態と基本的に同様である。
【０１１１】
また、図１４において、制御部４０２は、ＯＳ等の制御プログラムや、各種の処理手順等を規定したプログラム、および、所要データを格納するための内部メモリを有する。そして、制御部４０２は、これらのプログラム等により、種々の処理を実行するための情報処理を行う。制御部４０２は、機能概念的に、地点情報取得部４０２ａ、登録情報取得部４０２ｂ、登録情報処理部４０２ｃ、登録情報出力部４０２ｄ、および、登録情報設定部４０２ｅを備える。
【０１１２】
このうち、地点情報取得部４０２ａは、情報提供装置４００の現在位置情報等の地点情報を取得する地点情報取得手段である。例えば、地点情報取得部４０２ａは、位置取得部４１２による測位結果のほか、電話発信履歴や、経路探索やスポット検索等の検索履歴、入力部４１６を介して利用者により入力された地点入力結果等に基づいて、地点情報を取得してもよい。ここで、地点情報取得部４０２ａは、情報提供装置４００の現在位置情報を所定時間（所定周期）ごと（例えば、１秒ごと、または、３分ごと等）に地点情報として取得してもよい。また、地点情報取得部４０２ａは、位置取得部４１２にて位置発信装置５００から受信した位置情報信号から算出した情報提供装置４００の現在位置情報を、地点情報として取得してもよい。また、地点情報取得部４０２ａは、利用者により入力部４１６を介して入力された現在位置についての位置座標等の位置情報を情報提供装置４００の現在位置情報として取得してもよい。ここで、利用者により入力部４１６を介して入力された現在位置情報に基づく現在位置は、利用者が現実に存在する位置であってもよく、利用者により任意に選択された仮想の現在位置（一例として、東京にいる利用者により選択された大阪の駅や空港等の任意の地点）であってもよい。例えば、地点情報取得部４０２ａは、入力部４１６を介して利用者に出力部４１４に表示された地図情報に基づく表示画面上で指定（例えば、タッチパネル式の出力部４１４での指定操作等）させた座標を情報提供装置４００の現在位置情報として取得してもよい。
【０１１３】
また、登録情報取得部４０２ｂは、地点情報取得部４０２ａにより取得された地点情報（緯度経度、住所等）に対応する施設情報の登録情報を施設データベース４０６ａから取得する登録情報取得手段である。例えば、登録情報取得部４０２ｂは、まず、地点情報が示す位置に対応する、施設データベース４０６ａに記憶された施設情報の施設位置情報を検索して該当する施設情報（スポットＩＤ等）を特定し、つづいて、当該施設情報に対応する登録情報を取得してもよい。
【０１１４】
また、登録情報処理部４０２ｃは、登録情報取得部４０２ｂにより取得された登録情報に基づいて処理を実行する登録情報処理手段である。例えば、登録情報処理部４０２ｃは、地点情報取得部４０２ａにより取得された現在位置情報に基づいて、施設情報の施設に対する所定期間における訪問回数を所定回数に達するまでカウント処理して登録情報を更新してもよい。また、登録情報処理部４０２ｃは、地点情報取得部４０２ａにより取得された現在位置情報に基づいて、施設情報の施設への訪問を判定して登録情報を更新してもよい。例えば、登録情報処理部４０２ｃは、当該登録情報を記憶部４０６の所定の領域に登録し、付加情報の所定期間経過後（例えば１週間後）、現在位置情報に基づいて当該施設へ訪問したと判定すると登録情報を削除する等の更新処理を行ってもよい。すなわち、登録情報処理部４０２ｃは、登録情報に基づく行動指標が達成されたと判断した場合に、登録情報を記憶部４０６から削除してもよく、後述する登録情報出力部４０２ｄに出力されないよう制御してもよい。
【０１１５】
また、登録情報出力部４０２ｄは、登録情報を出力部４１４に出力する登録情報出力手段である。例えば、登録情報出力部４０２ｄは、登録情報取得部４０２ｂにより取得された登録情報、または、登録情報処理部４０２ｃにより更新された登録情報に基づいて、時間に関連付けて行動指標を出力部４１４に出力してもよい。例えば、登録情報出力部４０２ｄは、登録情報に基づく期間および回数等の時間に関する情報と、施設名等の施設に関する情報とを、表示出力または音声出力することにより、スケジュール機能やアラート機能を実現してもよい。また、登録情報出力部４０２ｄは、登録情報処理部４０２ｃによりカウント処理され更新された登録情報の期間や回数に基づくテキストデータや音声データを、出力部４１４を介して出力してもよい。また、登録情報出力部４０２ｄは、登録情報にクーポン情報が含まれる場合、クーポン情報に基づいてクーポンの発行処理を行ってもよく、例えば、印刷手段として機能する出力部４１４にクーポンを印刷出力してもよく、表示手段として機能する出力部４１４にクーポンを表示出力してもよい。なお、登録情報出力部４０２ｄは、経路探索条件の入力画面に目的地として登録情報の施設を表示してもよい。
【０１１６】
また、登録情報設定部４０２ｅは、施設データベース４０６ａに、施設情報に対応付けて登録情報を設定する登録情報設定手段である。例えば、登録情報設定部４０２ｅは、利用者に入力部４１６を介して登録情報を入力させ、入力された登録情報を施設情報に対応付けて施設データベース４０６ａに格納してもよい。
【０１１７】
以上で、第３の実施形態における情報提供装置４００の構成の一例の説明を終える。
【０１１８】
［情報提供装置４００（スタンドアローン型）の処理］
次に、このように構成された第３の実施形態における情報提供装置４００の処理の一例について、以下に図１５を参照して詳細に説明する。
【０１１９】
図１５に示すように、まず、地点情報取得部４０２ａは、位置取得部４１２にて位置発信装置５００から受信した位置情報信号から算出した現在位置情報を地点情報として取得する（ステップＳＣ−１）。なお、地点情報取得部４０２ａは、位置取得部４１２による位置情報の取得に限らず、電話発信履歴や、経路探索やスポット検索等の検索履歴など、入力部４１６を介して利用者により入力された地点入力結果や検索結果等に基づいて、地点情報を取得してもよい。例えば、地点情報取得部４０２ａは、利用者により入力部４１６を介して入力された現在位置についての位置座標等の位置情報を地点情報として取得してもよい。
【０１２０】
そして、登録情報取得部４０２ｂは、地点情報取得部４０２ａにより取得された地点情報（緯度経度、住所等）に対応する施設情報の登録情報を施設データベース４０６ａから取得する（ステップＳＣ−２）。例えば、登録情報取得部４０２ｂは、まず、地点情報が示す位置に対応する、施設データベース４０６ａに記憶された施設情報の施設位置情報を検索して該当する施設情報（スポットＩＤ等）を特定し、つづいて、当該施設情報に対応する登録情報を取得してもよい。
【０１２１】
そして、登録情報処理部４０２ｃは、登録情報取得部４０２ｂにより取得された登録情報に基づいて処理を実行する（ステップＳＣ−３）。例えば、登録情報処理部４０２ｃは、地点情報取得部４０２ａにより取得された現在位置情報に基づいて、登録情報の付加情報の所定回数（例えば４回）に達するまで、現在位置情報に基づいて訪問回数をカウントアップまたはカウントダウンして、登録情報を更新してもよい。また、登録情報処理部４０２ｃは、地点情報取得部４０２ａにより取得された現在位置情報に基づいて、施設情報の施設への訪問を判定して登録情報を更新してもよい。例えば、登録情報処理部４０２ｃは、当該登録情報を記憶部４０６の所定の領域に登録し、付加情報の所定期間経過後（例えば１週間後）、現在位置情報に基づいて当該施設へ訪問したと判定すると登録情報を削除する等の更新処理を行ってもよい。すなわち、登録情報処理部４０２ｃは、登録情報に基づく行動指標が達成されたと判断した場合に、登録情報を記憶部４０６から削除してもよく、後述する登録情報出力部４０２ｄに出力されないよう制御してもよい。
【０１２２】
そして、登録情報出力部４０２ｄは、登録情報取得部４０２ｂにより取得された登録情報、または、登録情報処理部４０２ｃにより更新された登録情報に基づいて、時間に関連付けて行動指標を出力部４１４に出力する（ステップＳＣ−４）。例えば、登録情報出力部４０２ｄは、登録情報に基づく期間および回数等の時間に関する情報と、施設名等の施設に関する情報とを、表示出力または音声出力してもよい。例えば、登録情報出力部４０２ｄは、登録情報処理部４０２ｃによりカウント処理されて更新された登録情報の期間や回数に基づいて、「○月□日までに、あと△回、スポーツジムＡに通ってください。」とのテキストデータや音声データを出力部４１４を介して出力してもよい。また、登録情報出力部４０２ｄは、登録情報処理部４０２ｃにより記憶部４０６に登録処理された登録情報の期間等に基づいて、「クリーニングに出してから１週間が経ちました。クリーニング店Ｂに受取りに行ってください。」等のテキストデータや音声データを出力部４１４を介して出力してもよい。また、登録情報出力部４０２ｄは、登録情報にクーポン情報が含まれる場合、クーポン情報に基づいてクーポンの発行処理を行ってもよく、例えば、印刷手段として機能する出力部４１４にクーポンを印刷出力してもよく、表示手段として機能する出力部４１４にクーポンを表示出力してもよい。なお、登録情報出力部４０２ｄは、経路探索条件の入力画面に目的地として登録情報の施設を表示してもよい。
【０１２３】
そして、登録情報処理部４０２ｃは、登録情報の管理を終了するか否か判定する（ステップＳＣ−５）。例えば、登録情報処理部４０２ｃは、登録情報に基づいて、時間に関連する行動指標が達成されたと判定した場合、当該登録情報の管理を終了してもよく、また、時間に関連する行動指標において期限が徒過した場合等のように行動指標が達成されないことが確定した場合に、当該登録情報の管理を終了してもよい。
【０１２４】
登録情報処理部４０２ｃにより登録情報の管理を終了しないと判定された場合（ステップＳＣ−５、Ｎｏ）、情報提供装置４００は、ステップＳＣ−１に戻し、上述した処理を繰り返す。一方、登録情報処理部４０２ｃにより登録情報の管理を終了すると判定された場合（ステップＳＣ−５、Ｙｅｓ）、情報提供装置４００は処理を終了する。
【０１２５】
以上で、第３の実施形態における情報提供装置４００の処理の一例の説明を終える。
【０１２６】
［他の実施の形態］
さて、これまで本発明の実施の形態について説明したが、本発明は、上述した実施の形態以外にも、特許請求の範囲に記載した技術的思想の範囲内において種々の異なる実施の形態にて実施されてよいものである。
【０１２７】
また、実施の形態において説明した各処理のうち、自動的に行われるものとして説明した処理の全部または一部を手動的に行うこともでき、あるいは、手動的に行われるものとして説明した処理の全部または一部を公知の方法で自動的に行うこともできる。
【０１２８】
このほか、上記文献中や図面中で示した処理手順、制御手順、具体的名称、各処理の登録データや検索条件等のパラメータを含む情報、画面例、データベース構成については、特記する場合を除いて任意に変更することができる。
【０１２９】
また、端末装置１００、サーバ装置２００、および、情報提供装置４００に関して、図示の各構成要素は機能概念的なものであり、必ずしも物理的に図示の如く構成されていることを要しない。
【０１３０】
例えば、端末装置１００、サーバ装置２００、および、情報提供装置４００の各装置が備える処理機能、特に制御部１０２、制御部２０２、および、制御部４０２にて行われる各処理機能については、その全部または任意の一部を、ＣＰＵ（Ｃｅｎｔｒａｌ  Ｐｒｏｃｅｓｓｉｎｇ  Ｕｎｉｔ）および当該ＣＰＵにて解釈実行されるプログラムにて実現してもよく、また、ワイヤードロジックによるハードウェアとして実現してもよい。尚、プログラムは、後述する記録媒体に記録されており、必要に応じて端末装置１００、サーバ装置２００、および、情報提供装置４００に機械的に読み取られる。すなわち、ＲＯＭまたはＨＤＤなどの記憶部１０６、記憶部２０６、および、記憶部４０６などには、ＯＳ（Ｏｐｅｒａｔｉｎｇ  Ｓｙｓｔｅｍ）として協働してＣＰＵに命令を与え、各種処理を行うためのコンピュータプログラムが記録されている。このコンピュータプログラムは、ＲＡＭにロードされることによって実行され、ＣＰＵと協働して制御部を構成する。
【０１３１】
また、このコンピュータプログラムは、端末装置１００、サーバ装置２００、および、情報提供装置４００に対して任意のネットワーク３００を介して接続されたアプリケーションプログラムサーバに記憶されていてもよく、必要に応じてその全部または一部をダウンロードすることも可能である。
【０１３２】
また、本発明に係るプログラムを、コンピュータ読み取り可能な記録媒体に格納してもよく、また、プログラム製品として構成することもできる。ここで、この「記録媒体」とは、メモリーカード、ＵＳＢメモリ、ＳＤカード、フレキシブルディスク、光磁気ディスク、ＲＯＭ、ＥＰＲＯＭ、ＥＥＰＲＯＭ、ＣＤ−ＲＯＭ、ＭＯ、ＤＶＤ、および、Ｂｌｕ−ｒａｙ  Ｄｉｓｃ等の任意の「可搬用の物理媒体」を含むものとする。
【０１３３】
また、「プログラム」とは、任意の言語や記述方法にて記述されたデータ処理方法であり、ソースコードやバイナリコード等の形式を問わない。なお、「プログラム」は必ずしも単一的に構成されるものに限られず、複数のモジュールやライブラリとして分散構成されるものや、ＯＳ（Ｏｐｅｒａｔｉｎｇ  Ｓｙｓｔｅｍ）に代表される別個のプログラムと協働してその機能を達成するものをも含む。なお、実施の形態に示した各装置において記録媒体を読み取るための具体的な構成、読み取り手順、あるいは、読み取り後のインストール手順等については、周知の構成や手順を用いることができる。
【０１３４】
記憶部１０６、記憶部２０６、および、記憶部４０６に格納される各種のデータベース等（施設データベース２０６ａ，４０６ａ等）は、ＲＡＭ、ＲＯＭ等のメモリ装置、ハードディスク等の固定ディスク装置、フレキシブルディスク、および、光ディスク等のストレージ手段であり、各種処理やウェブサイト提供に用いる各種のプログラム、テーブル、データベース、および、ウェブページ用ファイル等を格納する。
【０１３５】
また、サーバ装置２００は、既知のパーソナルコンピュータ、ワークステーション等の情報処理装置として構成してもよく、また、該情報処理装置に任意の周辺装置を接続して構成してもよい。また、サーバ装置２００は、該情報処理装置に本発明の方法を実現させるソフトウェア（プログラム、データ等を含む）を実装することにより実現してもよい。
【０１３６】
更に、装置の分散・統合の具体的形態は図示するものに限られず、その全部または一部を、各種の付加等に応じて、または、機能負荷に応じて、任意の単位で機能的または物理的に分散・統合して構成することができる。すなわち、上述した実施形態を任意に組み合わせて実施してもよく、実施形態を選択的に実施してもよい。
【産業上の利用可能性】
【０１３７】
以上詳述したように、本発明によれば、移動パターン等のように抽出した特徴をルール化して利用することなく、利用者に適切な行動指標を提供することができる、情報提供システム、端末装置、サーバ装置、情報提供装置、情報提供方法、および、プログラムを提供することができるので、ナビゲーションを支援する情報機器や情報処理分野などの様々な分野において極めて有用である。
【符号の説明】
【０１３８】
１００  端末装置
１０２  制御部
１０２ａ  地点情報取得部
１０２ｂ  地点情報送信部
１０２ｃ  登録情報受信部
１０２ｄ  登録情報処理部
１０２ｅ  登録情報出力部
１０２ｆ  登録情報編集部
１０４  通信制御インターフェース部
１０６  記憶部
１０８  入出力制御インターフェース部
１１２  位置取得部
１１４  出力部
１１６  入力部
２００  サーバ装置
２０２  制御部
２０２ａ  地点情報受信部
２０２ｂ  登録情報取得部
２０２ｃ  登録情報送信部
２０２ｄ  登録情報設定部
２０２ｅ  地点情報取得部
２０２ｆ  登録情報処理部
２０２ｇ  表示画面生成部
２０２ｈ  出力制御部
２０４  通信制御インターフェース部
２０６  記憶部
２０６ａ  施設データベース
３００  ネットワーク
４００  情報提供装置
４０２  制御部
４０２ａ  地点情報取得部
４０２ｂ  登録情報取得部
４０２ｃ  登録情報処理部
４０２ｄ  登録情報出力部
４０２ｅ  登録情報設定部
４０４  通信制御インターフェース部
４０６  記憶部
４０６ａ  施設データベース
４０８  入出力制御インターフェース部
４１２  位置取得部
４１４  出力部
４１６  入力部
５００  位置発信装置
６００  外部機器
【図１】
2012118938.tif 000003
【図２】
2012118938.tif 000004
【図３】
2012118938.tif 000005
【図４】
2012118938.tif 000006
【図５】
2012118938.tif 000007
【図６】
2012118938.tif 000008
【図７】
2012118938.tif 000009
【図８】
2012118938.tif 000010
【図９】
2012118938.tif 000011
【図１０】
2012118938.tif 000012
【図１１】
2012118938.tif 000013
【図１２】
2012118938.tif 000014
【図１３】
2012118938.tif 000015
【図１４】
2012118938.tif 000016
【図１５】
2012118938.tif 000017